(57)【要約】織物物品を処理する方法は、（ａ）ロイコ組成物を含む洗濯ケア組成物を用意するステップと、（ｂ）変換剤を含む液体媒体に洗濯ケア組成物を添加するステップと、（ｃ）織物物品を液体媒体と接触させるステップと、（ｄ）ロイコ組成物の少なくとも一部分を変換して酸化ロイコ組成物を形成するステップと、（ｅ）酸化ロイコ組成物の少なくとも一部分を織物上に付着させるステップと、（ｆ）任意に、織物をすすぐステップと、（ｇ）織物物品を乾燥させるステップと、を含み、織物物品は、乾燥後少なくとも５％のロイコ白色度改善番号（ＬＷＩＮ）を有する、織物物品を処理する方法。【特許請求の範囲】
【請求項１】
（ａ）ロイコ組成物を含む洗濯ケア組成物を用意するステップと、（ｂ）変換剤を含む液体媒体に前記洗濯ケア組成物を添加するステップと、（ｃ）前記織物物品を前記液体媒体と接触させるステップと、（ｄ）前記ロイコ組成物の少なくとも一部分を変換して酸化ロイコ組成物を形成するステップと、（ｅ）前記酸化ロイコ組成物の少なくとも一部分を前記織物上に付着させるステップと、（ｆ）任意に、前記織物をすすぐステップと、（ｇ）前記織物物品を乾燥させるステップと、を含み、前記織物物品は、乾燥後少なくとも５％のロイコ白色度改善番号（ＬＷＩＮ）を有する、織物物品を処理する方法。
【請求項２】
前記織物物品は、乾燥後に少なくとも１０％のロイコ白色度改善番号（ＬＷＩＮ）を有する、請求項１に記載の織物物品を処理する方法。
【請求項３】
前記変換剤は、塩素、二酸化塩素、次亜塩素酸塩及びそれらの混合物からなる群から選択される、請求項１又は２に記載の織物物品を処理する方法。
【請求項４】
前記ロイコ組成物は、ジアリールメタンロイコ、トリアリールメタンロイコ、オキサジンロイコ、チアジンロイコ、ヒドロキノンロイコ、アリールアミノフェノールロイコ及びそれらの混合物からなる群から選択される、請求項１〜３のいずれか一項に記載の織物物品を処理する方法。
【請求項５】
前記ロイコ組成物が、
【化１】
2019534392.tif 000012
（ｆ）それらの混合物からなる群から選択された１つ以上の化合物から選択され、
式Ｉ〜Ｖ対その酸化形態の比は少なくとも１：３であり、式中、環Ａ、Ｂ及びＣの各々の個々のＲｏ、Ｒｍ及びＲｐ基は、水素、重水素及びＲ５からなる群から独立して選択され、各Ｒ５は、ハロゲン、ニトロ、アルキル、置換アルキル、アリール、置換アリール、アルカリル、置換アルカリル、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−ＯＲ１、−ＮＲ１Ｒ２、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２からなる群から独立して選択され、前記３つの環Ａ、Ｂ、又はＣのうちの少なくとも１つのＲｏ基及びＲｍ基のうちの少なくとも１つは、水素であり、各Ｒｐは、水素、−ＯＲ１、及び−ＮＲ１Ｒ２から独立して選択され、
式中、Ｇは、水素、重水素、Ｃ１〜Ｃ１６アルコキシド、フェノキシド、ビスフェノキシド、亜硝酸塩、ニトリル、アルキルアミン、イミダゾール、アリールアミン、ポリアルキレンオキシド、ハロゲン化物、アルキルスルフィド、アリールスルフィド、及びホスフィンオキシドからなる群から独立して選択され、
式中、Ｒ１、Ｒ２及びＲ３は、水素、アルキル、置換アルキル、アリール、置換アリール、アルカリル、置換アルカリル、及びＲ４からなる群から独立して選択され、Ｒ４は、２８〜５００の範囲の前記モノマー分子量を有する１つ以上の有機モノマーから構成される有機基であり、
式中、ｅ及びｆは独立して０〜４の整数であり、
式中、各Ｒ２０及びＲ２１は、ハロゲン、ニトロ基、アルキル基、置換アルキル基、−ＮＣ（Ｏ）ＯＲ１、−ＮＣ（Ｏ）ＳＲ１、−ＯＲ１、及び−ＮＲ１Ｒ２からなる群から独立して選択され、
式中、各Ｒ２５は、単糖部分、二糖部分、オリゴ糖部分、多糖部分、−Ｃ（Ｏ）Ｒ１、−Ｃ（Ｏ）ＯＲ１、−Ｃ（Ｏ）ＮＲ１Ｒ２からなる群から独立して選択され、
式中、各Ｒ２２及びＲ２３は、水素、アルキル基、及び置換アルキル基からなる群から独立して選択され、
式中、Ｒ３０は架橋アミン部分に対してオルト又はパラに配置され、−ＯＲ３８及び−ＮＲ３６Ｒ３７からなる群から選択され、各Ｒ３６及びＲ３７は、水素、アルキル基、置換アルキル基、アリール基、置換アリール基、アシル基、Ｒ４、−Ｃ（Ｏ）ＯＲ１、−Ｃ（Ｏ）Ｒ１、及び−Ｃ（Ｏ）ＮＲ１Ｒ２からなる群から独立して選択され、
式中、Ｒ３８は、水素、アシル基、−Ｃ（Ｏ）ＯＲ１、−Ｃ（Ｏ）Ｒ１、及び−Ｃ（Ｏ）ＮＲ１Ｒ２からなる群から選択され、
式中、ｇ及びｈは独立して０〜４の整数であり、
式中、各Ｒ３１及びＲ３２は、アルキル基、置換アルキル基、アリール基、置換アリール基、アルカリル、置換アルカリル、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−ＯＲ１、−ＮＲ１Ｒ２、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２からなる群から独立して選択され、
式中、−ＮＲ３４Ｒ３５は前記架橋アミン部分に対してオルト又はパラに配置され、Ｒ３４及びＲ３５は水素、アルキル、置換アルキル、アリール、置換アリール、アルカリル、置換アルカリル、及びＲ４からなる群から独立して選択され、
式中、Ｒ３３は、水素、−Ｓ（Ｏ）２Ｒ１、−Ｃ（Ｏ）Ｎ（Ｈ）Ｒ１、−Ｃ（Ｏ）ＯＲ１及び−Ｃ（Ｏ）Ｒ１からなる群から独立して選択され、ｇが２〜４である場合、任意の２つの隣接するＲ３１基が結合して５員以上の縮合環を形成してもよく、前記縮合環中の２つ以下の原子は窒素原子であってもよく、
式中、Ｘ４０は、酸素原子、硫黄原子、及びＮＲ４５からなる群から選択され、Ｒ４５は、水素、重水素、アルキル、置換アルキル、アリール、置換アリール、アルカリル、置換アルカリル、−Ｓ（Ｏ）２ＯＨ、−Ｓ（Ｏ）２Ｏ−、−Ｃ（Ｏ）ＯＲ１、−Ｃ（Ｏ）Ｒ１、及び−Ｃ（Ｏ）ＮＲ１Ｒ２からなる群から独立して選択され、
式中、Ｒ４０及びＲ４１は、−ＯＲ１及び−ＮＲ１Ｒ２からなる群から独立して選択され、
式中、ｊ及びｋは、それぞれ、独立して０〜３の整数であり、
式中、Ｒ４２及びＲ４３は、アルキル、置換アルキル、アリール、置換アリール、アルカリル、置換アルカリル、−Ｓ（Ｏ）２Ｒ１、−Ｃ（Ｏ）ＮＲ１Ｒ２、−ＮＣ（Ｏ）ＯＲ１、−ＮＣ（Ｏ）ＳＲ１、−Ｃ（Ｏ）ＯＲ１、−Ｃ（Ｏ）Ｒ１、−ＯＲ１、−ＮＲ１Ｒ２からなる群から独立して選択され
式中、Ｒ４４は、−Ｃ（Ｏ）Ｒ１、−Ｃ（Ｏ）ＮＲ１Ｒ２、及び−Ｃ（Ｏ）ＯＲ１であり、
前記化合物のいずれかに存在する任意の電荷は、適切な独立して選択された内部又は外部対イオンと平衡化される、請求項１〜４のいずれか一項に記載の織物物品を処理する方法。
【請求項６】
異なるＡ、Ｂ及びＣ環の２つのＲｏ基が結合して５員以上の縮合環を形成する、請求項５に記載の織物物品を処理する方法。
【請求項７】
前記縮合環が６員以上であり、異なるＡ、Ｂ及びＣ環の２つのＲｏ基が結合して１つ以上のヘテロ原子を含有する有機リンカーを形成する、請求項５又は６に記載の織物物品を処理する方法。
【請求項８】
異なるＡ、Ｂ及びＣ環の２つのＲｏが結合して、−Ｏ−及び−Ｓ−から選択されるヘテロ原子架橋を形成して、６員縮合環を生成する、請求項５〜７のいずれか一項に記載の織物物品を処理する方法。
【請求項９】
同じ環のＲｏとＲｍ、又は同じ環のＲｍとＲｐのいずれかが結合して、縮合脂肪族環又は縮合芳香族環を形成する、請求項５〜８のいずれか一項に記載の織物物品を処理する方法。
【請求項１０】
前記３つの環Ａ、Ｂ、又はＣのうちの少なくとも１つのＲｏ基及びＲｍ基の４つ全てが水素である、請求項５〜９のいずれか一項に記載の織物物品を処理する方法。
【請求項１１】
３つ全ての環Ａ、Ｂ、又はＣの全てのＲｏ基及びＲｍ基が水素である、請求項５〜１０のいずれか一項に記載の織物物品を処理する方法。
【請求項１２】
３つ全てのＲｐが、−ＮＲ１Ｒ２である、請求項５〜１１のいずれか一項に記載の織物物品を処理する方法。
【請求項１３】
前記有機基が、前記式Ｉの構造に一致する１つ以上の追加のロイコ着色剤部分で置換され得る、請求項５〜１２のいずれか一項に記載の織物物品を処理する方法。
【請求項１４】
Ｒ４が、アルキレンオキシ、オキソアルキレンオキシ、オキソアルキレンアミン、エピクロロヒドリン、四級化エピクロロヒドリン、アルキレンアミン、ヒドロキシアルキレン、アシルオキシアルキレン、カルボキシアルキレン、カルボアルコキシアルキレン、及び糖からなる群から選択される、請求項５〜１３のいずれか一項に記載の織物物品を処理する方法。
【請求項１５】
前記洗濯ケア成分が、界面活性剤、ビルダー、キレート剤、移染防止剤、分散剤、酵素、酵素安定剤、触媒物質、漂白活性化剤、ポリマー分散剤、クレイ汚れ除去剤、再付着防止剤、増白剤、抑泡剤、染料、香料、香料送達系、構造化剤、布地柔軟剤、キャリア、ヒドロトロープ、加工助剤、顔料、酸化防止剤、及びこれらの混合物からなる群から選択される、請求項１〜１４のいずれか一項に記載の織物物品を処理する方法。
【発明の詳細な説明】
【技術分野】
【０００１】
本出願は、ロイコ着色剤を含有する洗濯ケア組成物で織物物品を処理するための方法を記載する。これらのタイプの着色剤は、安定した実質的に無色の状態で提供され、次いで、例えば、酸素への暴露、イオン添加、光への暴露などの特定の物理的又は化学的変化にさらされると、強力な着色状態に変換され得る。ロイコ着色剤を含有する織物物品洗濯ケア組成物の処理方法は、洗濯ケア組成物による洗浄及び乾燥後に経時的に、織物物品の見かけの若しくは視覚的に知覚される白色度を向上させるか、又は織物物品に所望の色合いを与えるように設計される。
【背景技術】
【０００２】
経年により、織物基材は、光、空気、汚れへの暴露、及び基材に含まれる繊維の自然劣化により、退色又は黄変する傾向がある。したがって、これらの織物基材を視覚的に強化し、退色及び黄変を抑えるために消費者製品を着色するためのポリマー着色剤の使用は、先行技術において周知となっている。例えば、織物用途において、蛍光増白剤又は青味剤のいずれかの白色化剤を使用することは周知である。しかしながら、従来の白色化剤は、蛍光増白剤の場合には、付着又は露光に際して最大の効果を有する。
【０００３】
ロイコ染料は、特定の化学的又は物理的なトリガーにさらされると無色又はわずかに着色した状態から着色した状態への変化を示すことも従来技術において公知である。生じる着色の変化は、典型的には人間の目に視覚的に知覚可能である。全ての既存の化合物は、可視光領域（４００〜７００ｎｍ）においていくらかの吸光度を有し、したがって多かれ少なかれ何らかの色を有する。本発明では、染料がその適用濃度及び条件で有意な色を示さなかったがそのトリガーされた形態で有意な色を示す場合、染料は「ロイコ染料」と見なされる。トリガー時の色の変化は、４００〜７００ｎｍの範囲、好ましくは５００〜６５０ｎｍの範囲、最も好ましくは５３０〜６２０ｎｍの範囲におけるロイコ染料分子のモル減衰係数（いくつかの文献ではモル吸光係数（molar extinction coefficient）、モル吸収係数、及び／又はモル吸光係数（molar absorptivity）としても知られる）の変化から生じる。トリガー前後のロイコ染料のモル減衰係数の増加は、５０％より大きく、より好ましくは２００％より大きく、そして最も好ましくは５００％より大きくなければならない。
【０００４】
したがって、本明細書に記載のロイコ着色剤は、白色化剤としての使用に理想的に適し得ることが本発明の範囲内にあると考えられる。しかしながら、伝統的なロイコ着色剤は、洗剤中での保存時に無色の形態を維持し、消費者による使用中又は使用後に着色状態又ははるかに着色度の高い状態への変化を引き起こすという点で有効であり得るが、反応を制御することが困難である。具体的には、その困難性は、使用前に着色形態をもたらす反応を抑制する必要性と、製品が使用された後に同じ反応を促進する必要性とのバランスをとることから生じる。保存時の反応は酸化防止剤の使用により抑制することができるが、所望の安定性を提供するのに必要とされる高レベルの酸化防止剤の使用は酸化防止剤の付着による布地の望ましくない黄変などの使用時の問題をもたらし得る。これは、ロイコ着色剤が使用されるまさにその目的（布地の黄色を相殺するシェーディングを提供する）に対抗するので、逆効果であり、消費者が経験する利益を低減させる傾向がある。
【発明の概要】
【発明が解決しようとする課題】
【０００５】
したがって、保存中の変換を遅くするが、使用されると分子を変換する能力を保持する必要性が残っている。
【０００６】
ここで、驚くべきことに、現在特許請求されているロイコ着色剤が、変換剤を含む液体媒体中に置かれたときに、所望の消費者白色度の利点を織物物品に与えることが、見出された。
【課題を解決するための手段】
【０００７】
一態様では、本発明は、（ａ）ロイコ組成物を含む洗濯ケア組成物を用意するステップと、（ｂ）変換剤を含む液体媒体に洗濯ケア組成物を添加するステップと、（ｃ）織物物品を液体媒体と接触させるステップと、（ｄ）ロイコ組成物の少なくとも一部分を変換して酸化ロイコ組成物を形成するステップと、（ｅ）酸化ロイコ組成物の少なくとも一部分を織物上に付着させるステップと、（ｆ）任意に、織物をすすぐステップと、（ｇ）織物物品を乾燥させるステップと、を含み、織物物品は、乾燥後少なくとも５％のロイコ白色度改善番号（ＬＷＩＮ）を有する、織物物品を処理する方法を提供する。
【発明を実施するための形態】
【０００８】
定義
本明細書で使用するとき、用語「アルコキシ」は、Ｃ１〜Ｃ８アルコキシ、及びブチレンオキシド、グリシドールオキシド、エチレンオキシド、又はプロピレンオキシド等の繰り返し単位を有するポリオールのアルコキシ誘導体を包含することを意図する。
【０００９】
本明細書で使用するとき、交換可能な用語「アルキレンオキシ」及び「オキシアルキレン」、並びに交換可能な用語「ポリアルキレンオキシ」及び「ポリオキシアルキレン」は、一般に、それぞれ以下の繰り返し単位を１つ又は複数含む分子構造を指す：−Ｃ２Ｈ４Ｏ−、−Ｃ３Ｈ６Ｏ−、−Ｃ４Ｈ８Ｏ−、及びそれらの任意の組み合わせ。これらの基に対応する非限定的な構造としては、例えば、−ＣＨ２ＣＨ２Ｏ−、−ＣＨ２ＣＨ２ＣＨ２Ｏ−、−ＣＨ２ＣＨ２ＣＨ２ＣＨ２Ｏ−、−ＣＨ２ＣＨ（ＣＨ３）Ｏ−、及び−ＣＨ２ＣＨ（ＣＨ２ＣＨ３）Ｏ−が挙げられる。更に、ポリオキシアルキレン構成要素は、Ｃ２〜２０アルキレンオキシ基、グリシジル基、又はこれらの混合物から選択される１つ以上のモノマーからなる群から選択されてもよい。
【００１０】
用語「エチレンオキシド」、「プロピレンオキシド」及び「ブチレンオキシド」は、それぞれ、本明細書において、これらの典型的な表記である「ＥＯ」、「ＰＯ」及び「ＢＯ」で示される場合がある。
【００１１】
本明細書で使用するとき、用語「アルキル」及び「アルキルキャップ」は、置換又は非置換炭化水素から水素原子を除去することによって形成された任意の一価の基を意味することを意図している。非限定的な例としては、Ｃ１〜Ｃ１８アルキル基、及び一態様ではＣ１〜Ｃ６アルキル基を含む、分岐又は非分岐、置換又は非置換のヒドロカルビル部分が挙げられる。
【００１２】
本明細書で使用するとき、他に指定されない限り、用語「アリール」は、Ｃ３〜Ｃ１２アリール基を含むことを意図する。用語「アリール」は、炭素環式及び複素環式アリール基の両方を指す。
【００１３】
本明細書で使用するとき、用語「アルカリル」は、任意のアルキル置換アリール置換基及びアリール置換アルキル置換基を指す。より具体的には、この用語は、追加の置換基を含んでも含まなくてもよい、Ｃ７〜１６アルキル置換アリール置換基及びＣ７〜１６アリール置換アルキル置換基を指すことを意図している。
【００１４】
本明細書で使用するとき、用語「洗剤組成物」は洗濯ケア組成物のサブセットであり、布地を洗濯するための製品を含むがこれに限定されない洗浄組成物を含む。このような組成物は、洗浄ステップの前に用いる前処理組成物であっても、すすぎ時添加用組成物、並びに、漂白添加剤及び「シミ取りスティック」又は前処理タイプのような洗浄助剤であってもよい。
【００１５】
本明細書で使用するとき、用語「洗濯ケア組成物」は、別途記載のない限り、顆粒、粉末、液体、ゲル、ペースト、単位用量、棒状、及び／又はフレークタイプの洗浄剤及び／又は布地処理組成物を含み、布地を洗濯するための製品、布地柔軟化組成物、布地増強組成物、布地フレッシュニング組成物、及び布地をケア及びメンテナンスするためのその他の製品、並びにそれらの組み合わせが挙げられるが、これらに限定されない。そのような組成物は、洗浄ステップの前に用いるための前処理組成物であっても、すすぎ添加用組成物、並びに漂白添加剤及び／又は「シミ取りスティック」、又は前処理組成物、又は乾燥機添加用シートなどの基材を有する製品などの洗浄助剤であってもよい。
【００１６】
本明細書で使用するとき、用語「ロイコ」（例えば、化合物、部分、ラジカル、染料、モノマー、フラグメント、又はポリマーに関して使用されるように）は、特定の化学的又は物理的なトリガーにさらされると、１つ以上の化学的及び／又は物理的変化を起こし、第１の色状態（例えば、無着色又は実質的に無色）から第２のより高い着色状態へのシフトをもたらす、実体（例えば、有機化合物又はその部分）を指す。適切な化学的又は物理的なトリガーとしては、酸化、ｐＨ変化、温度変化、及び電磁放射線（例えば、光）暴露における変化が挙げられるが、これらに限定されない。ロイコ実体に生じる適切な化学的又は物理的変化としては、酸化及び分子内環化などの非酸化的変化が挙げられるが、これらに限定されない。したがって、一態様では、適切なロイコ実体は、可逆的に還元された形態の発色団であり得る。一態様では、ロイコ部分は、好ましくは、上述の１つ以上の化学的及び／又は物理的トリガーにさらされると第１及び第２のπ系を組み込んだ第３の複合共役π系に変換され得る第１及び第２のπ系を少なくとも含む。
【００１７】
本明細書で使用するとき、用語「ロイコ組成物」又は「ロイコ着色剤組成物」は、本明細書で更に詳細に記載されるように独立して選択された構造を有する少なくとも２つのロイコ化合物を含む組成物を指す。
【００１８】
本明細書で使用するとき、ロイコ着色剤の「平均分子量」は、その分子量分布によって決定される重量平均分子量として報告される。それらの製造プロセスの結果として、本明細書に開示されるロイコ着色剤は、それらのポリマー部分における繰り返し単位の分布を含むことができる。
【００１９】
本明細書で使用するとき、用語「最大吸光係数」及び「最大モル吸光係数」は、４００ナノメートル〜７５０ナノメートルの範囲における最大吸収波長（本明細書では最大波長とも呼ばれる）でのモル吸光係数を記載することを意図する。
【００２０】
本明細書で使用するとき、用語「第１の色」は、トリガー前の洗濯ケア組成物の色を指すのに使用され、無色及び実質的に無色を含む任意の色を含むことを意図する。
【００２１】
本明細書で使用するとき、用語「第２の色」は、トリガー後の洗濯ケア組成物の色を指すのに使用され、目視検査又は分光光度分析などの分析技術の使用のいずれかによって、洗濯ケア組成物の第１の色から、識別可能な任意の色を含むことを意図する。
【００２２】
本明細書で使用するとき、用語「変換剤」は、任意のその既知の形態（一重項及び三重項状態）の分子状酸素以外の当技術分野で既知の任意の酸化剤を指す。
【００２３】
本明細書で使用するとき、用語「トリガー剤」は、ロイコ組成物を無色又は実質的に無色の状態から着色状態に変換するのに適した反応物を指す。
【００２４】
本明細書で使用するとき、用語「白色化剤」は、白い綿の上で２１０〜３４５の相対色相角、又は更には２４０〜３２０の相対色相角、又は更には２５０〜３００（例えば２５０〜２９０）の相対色相角を有する布に色相を提供するときに、一旦それをトリガーすると染料を形成することができる染料又はロイコ着色剤を指す。
【００２５】
本明細書で使用するとき、「セルロース基材」は、重量基準でセルロースの少なくとも大部分を占めるあらゆる基材を含むことを意図する。セルロースは、木材、綿、亜麻布、黄麻及び麻布に見出すことができる。セルロース基材は、粉末、繊維、パルプの形態、並びに粉末、繊維及びパルプから形成される物品の形態であってよい。セルロース繊維としては、綿、レーヨン（再生セルロース）、アセテート（酢酸セルロース）、トリアセテート（三酢酸セルロース）及びこれらの混合物が挙げられるが、これらに限定されない。セルロース繊維から形成される物品としては、布地などの織物物品が挙げられる。パルプから形成される物品としては、紙が挙げられる。
【００２６】
本明細書で使用するとき、特許請求の範囲において使用される「ａ」及び「ａｎ」などの冠詞は、特許請求又は記述されるものが１つ以上であることを意味すると理解される。
【００２７】
本明細書で使用するとき、用語「含む」は非限定的であることを意味する。
【００２８】
本明細書において使用するとき、「固体」という用語は、顆粒、粉末、バー及び錠剤の製品形態を含む。
【００２９】
本発明で使用する場合、用語「流体」は、液体、ゲル、ペースト及び気体の製品形態を含む。
【００３０】
本出願人らの発明のパラメータのそれぞれの値を求めるには、本出願の試験方法の項で開示される試験方法を用いるべきである。
【００３１】
別途記載のない限り、成分又は組成物の濃度は全て、成分又は組成物の活性部分に関するものであり、かかる成分又は組成物の市販の供給源に存在し得る不純物、例えば、残留溶媒又は副生成物は除外される。
【００３２】
全ての百分率及び比率は、特に指示がない限り、重量で計算される。全ての百分率及び比率は、特に指示がない限り、全組成物に基づいて計算される。
【００３３】
一態様では、２００〜１０００ｎｍ（より好ましくは４００〜７５０ｎｍ）の範囲内の波長における最大吸光度での第２の着色状態のモル吸光係数は、第２の着色状態の最大吸光度の波長における第１の色状態のモル吸光係数の、好ましくは少なくとも５倍、より好ましくは１０倍、更により好ましくは２５倍、最も好ましくは少なくとも５０倍である。好ましくは、２００〜１０００ｎｍ（より好ましくは４００〜７５０ｎｍ）の範囲内の波長における最大吸光度での第２の着色状態のモル吸光係数は、対応する波長範囲における第１の色状態の最大モル吸光係数の、少なくとも５倍、好ましくは１０倍、更により好ましくは２５倍、最も好ましくは少なくとも５０倍である。当業者であれば、これらの比がはるかに高くなってもよいことを理解するであろう。例えば、第１の色状態は、４００〜７５０ｎｍの波長範囲において１０Ｍ−１ｃｍ−１程度の小さい最大モル吸光係数を有することができ、第２の着色状態は、４００〜７５０ｎｍの波長範囲において８０，０００Ｍ−１ｃｍ−１以上もの最大モル吸光係数を有することができ、その場合、吸光係数の比は、８，０００：１以上であろう。
【００３４】
一態様では、４００〜７５０ｎｍの範囲の波長における第１の色状態の最大モル吸光係数は１０００Ｍ−１ｃｍ−１未満であり、４００〜７５０ｎｍの範囲の波長における第２の着色状態の最大モル吸光係数は、５，０００Ｍ−１ｃｍ−１超、好ましくは１０，０００、２５，０００、５０，０００、又は更には１００，０００Ｍ−１ｃｍ−１超である。当業者は、１つ超のロイコ部分を含むポリマーは、第１の色状態で有意に高い最大モル吸光係数を有し得る（例えば、多数のロイコ部分の添加効果又は第２の着色状態に変換された１つ以上のロイコ部分の存在のために）ことを認識し理解するであろう。１つ超のロイコ部分が分子に結合している場合、第２の色状態の最大モル吸光係数はｎ×εよりも大きくてよく、ここでｎはロイコ部分プラス分子上に存在する酸化ロイコ部分の数であり、εは、５，０００Ｍ−１ｃｍ−１、好ましくは１０，０００、２５，０００、５０，０００、又は更には１００，０００Ｍ−１ｃｍ−１超から選択される。したがって、２つのロイコ部分を有する分子に対しては、第２の色状態の最大モル吸光係数は、１０，０００Ｍ−１ｃｍ−１超、好ましくは２０，０００、５０，０００、１００，０００又は更には２００，０００Ｍ−１ｃｍ−１超であってもよい。ｎは理論的には任意の整数であり得るが、当業者は、ｎが典型的には１〜１００、より好ましくは１〜５０、１〜２５、１〜１０、又は更には１〜５であることを理解する。
【００３５】
本発明は、織物基材を白色化するための色相を提供するために、液体洗濯洗剤などの洗濯ケア組成物に使用するのに有用であり得る一種のロイコ着色剤で織物物品を処理する方法に関する。ロイコ着色剤は、本質的に無色又はわずかに着色されているが活性化すると濃い色を発色することができる化合物である。洗濯ケア組成物にロイコ化合物を使用することの１つの利点は、活性化されるまで無色であるそのような化合物が洗濯ケア組成物にそれ自身の色を示すことを可能にすることである。ロイコ着色剤は一般に、洗濯ケア組成物の原色を変えない。したがって、そのような組成物の製造業者は、青味剤などの添加成分が組成物の最終色価に影響を及ぼすことを心配することなく消費者にとって最も魅力的な色を調合することができる。
【００３６】
消費者の家庭で遭遇する織物物品の範囲は非常に広く、多種多様な天然繊維及び合成繊維の両方、並びに同じ洗濯負荷又は同じ衣服中におけるこれらのいずれかの混合物、から構成された衣類を含むことが多い。物品は様々な方法で構成することができ、製造業者によって適用され得る数多くのあらゆる仕上げ剤を含むことができる。消費者の織物物品上に残るそのような仕上げ剤の量は、多様な要因に依存し、その中には、消費者が使用する特定の洗浄条件下での仕上げ剤の耐久性、消費者が使用した可能性のある特定の洗剤及び添加剤、及び物品が洗浄されたサイクル数がある。各物品の履歴に応じて、仕上げ剤は様々な程度で存在するか、又は本質的に存在しなくてもよいが、洗濯又はすすぎサイクル中に存在する他の材料及び着用中に遭遇する汚染物質が、物品上に蓄積し始める場合がある。
【００３７】
当業者は、消費者によって使用されるあらゆる洗剤配合物が、あらゆる範囲の可能性を表す織物物品に遭遇することを強く認識しており、配合物が、他とは対照的にいくつかの繊維に対して作用する仕方に大きな差異があり得るばかりでなく、実際にあるであろうことを期待している。これらの差異は日常的な実験を通して見出すことができる。
【００３８】
本発明の洗濯ケア組成物に使用されるロイコ化合物の量は、本発明の目的を達成するのに適した任意のレベルであることができる。一態様では、洗濯ケア組成物は、約０．０００１重量％〜約１．０重量％、好ましくは０．０００５重量％〜約０．５重量％、更により好ましくは約０．０００８重量％〜約０．２重量％、最も好ましくは０．００４重量％〜約０．１重量％の量のロイコ化合物を含む。
【００３９】
別の態様では、洗濯ケア組成物は、０．００２５〜５．０ミリ当量／ｋｇ、好ましくは０．００５〜２．５ミリ当量／ｋｇ、更により好ましくは０．０１〜１．０ミリ当量／ｋｇ、最も好ましくは０．０５〜０．５０ミリ当量／ｋｇの量のロイコ化合物を含み、ここで、ミリ当量／ｋｇの単位は、洗濯組成物のｋｇあたりのロイコ部分のミリ当量を指す。１超のロイコ部分を含むロイコ化合物に対して、ミリ当量数は、以下の式により、ロイコ化合物のミリモル数に関係する：（ロイコ化合物のミリモル数）×（ロイコ部分のミリ当量数／ミリモルのロイコ化合物の数）＝ロイコ部分のミリ当量。ロイコ化合物あたり単一のロイコ部分のみ存在する場合、ミリ当量数／ｋｇは、ロイコ化合物のミリモル数／洗濯用組成物のｋｇに等しいであろう。
【００４０】
一態様では、本発明は、ジアリールメタンロイコ、トリアリールメタンロイコ、オキサジンロイコ、チアジンロイコ、ヒドロキノンロイコ、アリールアミノフェノールロイコ、及びそれらの混合物からなる群から選択されるロイコ組成物に関する。
【００４１】
本明細書で用いるための適切なジアリールメタンロイコ化合物には、本明細書に記載の第２の着色状態を形成することができるジアリールメチレン誘導体が含まれるが、これらに限定されない。適切な例としては、Ｍｉｃｈｌｅｒのメタン、−ＯＨ基で置換されたジアリールメチレン（例えばＭｉｃｈｌｅｒのハイドロール）、並びにそれらのエーテル及びエステル、−ＣＮ基（ビス（パラ−Ｎ，Ｎ−ジメチル）フェニル）アセトニトリル）及び同様のそのような化合物などの光切断可能部分で置換されたジアリールメチレンが挙げられるが、これらに限定されない。
【００４２】
一態様では、本発明は、
【００４３】
【化１】
2019534392.tif 000002
（ｆ）それらの混合物から選択される群に一致する１つ以上のロイコ化合物を含む組成物で織物物品を処理するための方法に関し、
式Ｉ〜Ｖ対その酸化形態の比は、少なくとも１：１９、１：９、又は１：３、好ましくは少なくとも１：１、より好ましくは少なくとも３：１、最も好ましくは少なくとも９：１又は更には１９：１である。
【００４４】
式（Ｉ）の構造において、環Ａ、Ｂ及びＣの各々の個々のＲｏ、Ｒｍ及びＲｐ基は、水素、重水素、及びＲ５からなる群から独立して選択され、各Ｒ５は、ハロゲン、ニトロ、アルキル、置換アルキル、アリール、置換アリール、アルカリル、置換アルカリル、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２からなる群から独立して選択され、添え字ｎは、０〜４、好ましくは０〜１、最も好ましくは０の整数であり、異なるＡ、Ｂ、及びＣ環の２つのＲｏが結合して、５員以上の縮合環を形成することができ、縮合環が６員以上である場合、異なるＡ、Ｂ、及びＣ環の２つのＲｏが結合して、１つ以上のヘテロ原子を任意に含有する有機リンカーを形成することができ、一実施形態では、異なるＡ、Ｂ及びＣ環の２つのＲｏが結合して、−Ｏ−及び−Ｓ−から選択されるヘテロ原子架橋を形成し、６員縮合環を生成して、同じ環のＲｏとＲｍ、又は同じ環のＲｍとＲｐが結合して縮合脂肪族環又は縮合芳香族環を形成することができ、いずれもヘテロ原子を含んでもよく、３個の環Ａ、Ｂ又はＣのうちの少なくとも１つの、Ｒｏ基及びＲｍ基のうちの、好ましくは少なくとも２つ、より好ましくは少なくとも３つ、最も好ましくは４つ全ては、水素であり、好ましくは環Ａ、Ｂ及びＣのうちの少なくとも２つの、４つ全てのＲｏ基及びＲｍ基は水素であり、いくつかの実施形態では、環Ａ、Ｂ及びＣの全てのＲｏ基及びＲｍ基は水素であり、好ましくは、各Ｒｐは、水素、−ＯＲ１、及び−ＮＲ１Ｒ２から独立して選択され、２つ以下、好ましくは、Ｒｐの１つ以下は水素であり、好ましくはどれも水素ではなく、より好ましくは、少なくとも１つ、好ましくは２つ、最も好ましくは３つ全てのＲｐは、−ＮＲ１Ｒ２であり、いくつかの実施形態では、環Ａ、Ｂ及びＣのうちの１つ又は更には２つは、Ｏ、Ｓ及びＮから独立して選択される１つ又は２つのヘテロ原子を含む独立に選択されたＣ３〜Ｃ９ヘテロアリール環で置換されてもよく、任意に１つ以上の独立して選択されたＲ５基と置換されてもよく、Ｇは、水素、重水素、Ｃ１〜Ｃ１６アルコキシド、フェノキシド、ビスフェノキシド、ニトライト、ニトリル、アルキルアミン、イミダゾール、アリールアミン、ポリアルキレンオキシド、ハライド、アルキルスルフィド、アリールスルフィド、又はホスフィンオキシドからなる群から独立して選択され、一態様では、Ｇに対する割合［（重水素）／（重水素＋水素）］は、少なくとも０．２０、好ましくは少なくとも０．４０、更により好ましくは少なくとも０．５０、最も好ましくは少なくとも０．６０又は更には少なくとも０．８０であり、同じヘテロ原子に結合しているＲ１、Ｒ２及びＲ３のうちの任意の２つは結合して、−Ｏ−、−ＮＲ１５−、及び−Ｓ−からなる群から選択される１つ以上の追加のヘテロ原子を任意に含む、５員以上の環を形成することができる。
【００４５】
式（ＩＩ）〜（ＩＩＩ）の構造において、ｅ及びｆは独立して０〜４の整数であり、各Ｒ２０及びＲ２１は、ハロゲン、ニトロ基、アルキル基、置換アルキル基、−ＮＣ（Ｏ）ＯＲ１、−ＮＣ（Ｏ）ＳＲ１、−ＯＲ１、及び−ＮＲ１Ｒ２からなる群から独立して選択され、各Ｒ２５は、単糖類部分、二糖部分、オリゴ糖部分、及び多糖類部分、−Ｃ（Ｏ）Ｒ１、−Ｃ（Ｏ）ＯＲ１、−Ｃ（Ｏ）ＮＲ１Ｒ２からなる群から独立して選択され、各Ｒ２２及びＲ２３は、水素、アルキル基、及び置換アルキル基からなる群から独立して選択される。
【００４６】
式（ＩＶ）の構造において、Ｒ３０は架橋アミン部分に対してオルト又はパラに配置され、−ＯＲ３８、及び−ＮＲ３６Ｒ３７からなる群から選択され、各Ｒ３６及びＲ３７は、水素、アルキル基、置換アルキル基、アリール基、置換アリール基、アシル基、Ｒ４、−Ｃ（Ｏ）ＯＲ１、−Ｃ（Ｏ）Ｒ１、及び−Ｃ（Ｏ）ＮＲ１Ｒ２からなる群から独立して選択され、式中、Ｒ３８は、水素、アシル基、−Ｃ（Ｏ）ＯＲ１、−Ｃ（Ｏ）Ｒ１、及び−Ｃ（Ｏ）ＮＲ１Ｒ２からなる群から選択され、ｇ及びｈは、独立して、０〜４の整数であり、各Ｒ３１及びＲ３２は、アルキル基、置換アルキル基、アリール基、置換アリール基、アルカリル、置換アルカリル、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−ＯＲ１、−ＮＲ１Ｒ２、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２からなる群から独立して選択され、添え字ｎは、０〜４好ましくは０〜１、最も好ましくは０の整数であり、−ＮＲ３４Ｒ３５は架橋アミン部分に対してオルト又はパラに配置され、Ｒ３４及びＲ３５は水素、アルキル、置換アルキル、アリール、置換アリール、アルカリル、置換アルカリル、及びＲ４からなる群から独立して選択され、Ｒ３３は、水素、−Ｓ（Ｏ）２Ｒ１、−Ｃ（Ｏ）Ｎ（Ｈ）Ｒ１、−Ｃ（Ｏ）ＯＲ１、及び−Ｃ（Ｏ）Ｒ１からなる群から独立して選択され、ｇが２〜４である場合、任意の２つの隣接するＲ３１基が結合して５員以上の縮合環を形成してもよく、縮合環中の２つ以下の原子は窒素原子であってもよい。
【００４７】
式（Ｖ）の構造において、Ｘ４０は、酸素原子、硫黄原子、及びＮＲ４５からなる群から選択され、Ｒ４５は、水素、重水素、アルキル、置換アルキル、アリール、置換アリール、アルカリル、置換アルカリル、−Ｓ（Ｏ）２ＯＨ、−Ｓ（Ｏ）２−Ｏ−、−Ｃ（Ｏ）ＯＲ１、−Ｃ（Ｏ）Ｒ１、及び−Ｃ（Ｏ）ＮＲ１Ｒ２からなる群から独立して選択され、Ｒ４０及びＲ４１は、−（ＣＨ２）ｎ−Ｏ−Ｒ１、−（ＣＨ２）ｎ−ＮＲ１Ｒ２からなる群から独立して選択され、添え字ｎは、０〜４、好ましくは０〜１、最も好ましくは０の整数であり、ｊ及びｋは、独立して０〜３の整数であり、Ｒ４２及びＲ４３は、アルキル、置換アルキル、アリール、置換アリール、アルカリル、置換アルカリル、−Ｓ（Ｏ）２Ｒ１、−Ｃ（Ｏ）ＮＲ１Ｒ２、−ＮＣ（Ｏ）ＯＲ１、−ＮＣ（Ｏ）ＳＲ１、−Ｃ（Ｏ）ＯＲ１、−Ｃ（Ｏ）Ｒ１、−（ＣＨ２）ｎ−Ｏ−Ｒ１、−（ＣＨ２）ｎ、−ＮＲ１Ｒ２からなる群から独立して選択され、添え字ｎは、０〜４、好ましくは０〜１、最も好ましくは０の整数であり、Ｒ４４は、−Ｃ（Ｏ）Ｒ１、−Ｃ（Ｏ）ＮＲ１Ｒ２、及び−Ｃ（Ｏ）ＯＲ１である。
【００４８】
式（Ｉ）〜（Ｖ）の構造において、前述の基のいずれかに存在する任意の電荷は、適切な独立して選択される内部又は外部対イオンと平衡化される。適切な独立して選択される外部対イオンは、カチオン性又はアニオン性であってもよい。適切なカチオンの例としては、好ましくは第Ｉ族及び第ＩＩ族から選択される１つ以上の金属が挙げられ、これらの最も好ましいものは、Ｎａ、Ｋ、Ｍｇ、及びＣａ、又はイミニウム、アンモニウム、及びホスホニウムなどの有機カチオンが挙げられるが、これらに限定されない。適切なアニオンの例としては、フッ化物、塩化物、臭化物、ヨウ化物、過塩素酸塩、硫酸水素塩、硫酸塩、硫酸アミノ硫酸塩、硝酸塩、リン酸二水素塩、リン酸水素塩、ホスフェート、重炭酸塩、炭酸塩、メトサルフェート、エトキシサルフェート、シアネート、チオシアネート、テトラクロロ亜鉛酸塩、ホウ酸塩、テトラフルオロホウ酸塩、アセテート、クロロアセテート、シアノアセテート、ヒドロキシアセテート、アミノアセテート、メチルアミノアセテート、ジ−及びトリ−クロロアセテート、２−クロロ−プロピオネート、２−ヒドロキシプロピオネート、グリコレート、チオグリコレート、チオアセテート、フェノキシアセテート、トリメチルアセテート、バレレート、パルミテート、アクリレート、オキサレート、マロネート、クロトネート、スクシネート、シトレート、メチレンビス−チオグリコレート、エチレン−ビス−イミノアセテート、ニトリロトリアセテート、フマレート、マレエート、ベンゾエート、メチルベンゾエート、クロロベンゾエート、ジクロロベンゾエート、ヒドロキシベンゾエート、アミノベンゾエート、フタレート、テレフタレート、インドリルアセテート、クロロベンゼンスルホネート、ベンゼンスルホネート、トルエンスルホネート、ビフェニルスルホネート、及びクロロトルエンスルホネートが挙げられるが、これらに限定されない。当業者は、上記に列挙したものの代わりに使用することができる異なる対イオンを十分に認識している。
【００４９】
式（Ｉ）〜（Ｖ）の構造において、Ｒ１、Ｒ２、Ｒ３、及びＲ１５は、水素、アルキル、置換アルキル、アリール、置換アリール、アルカリル、置換アルカリル、及びＲ４からなる群から独立して選択され、Ｒ４は、２８〜５００、好ましくは４３〜３５０、更により好ましくは４３〜２５０の範囲のモノマー分子量を有する１つ以上の有機モノマーから構成される有機基であり、有機基は、式Ｉ〜Ｖの構造に一致する１つ以上の追加のロイコ着色剤部分で置換され得る。一態様では、Ｒ４は、アルキレンオキシ（ポリエーテル）、オキソアルキレンオキシ（ポリエステル）、オキソアルキレンアミン（ポリアミド）、エピクロロヒドリン、四級化エピクロロヒドリン、アルキレンアミン、ヒドロキシアルキレン、アシルオキシアルキレン、カルボキシアルキレン、カルボアルコキシアルキレン、及び糖からなる群から選択される。任意のロイコ着色剤が、３つ以上の連続するモノマーを有するＲ４基を含む場合、ロイコ着色剤は、本明細書では「高分子ロイコ着色剤」として定義される。当業者は、溶解度、分配、付着、除去、染色などの多くの特徴的属性のいずれかに関する化合物の特性が、その中に組み込まれるこのような連続するモノマーの配置、同一性、及び数に関連することを知っている。したがって、当業者は、そのような連続するモノマーの配置、同一性、及び数を調節して、多かれ少なかれ予測可能な様式で任意の特定の属性を変更することができる。
【００５０】
従来の地表水処理プラントは依然として特定の地域で使用されている。それらは、典型的には、処理プロセスにおいていくつかのステップからなる。これらには、（１）収集、（２）スクリーニング及び布ごし、（３）化学物質添加、（４）凝固及び凝集、（５）沈降及び浄化、（６）濾過、（７）殺菌、（８）保存、（９）最終配布、が含まれる。
【００５１】
水が濾過プロセスを通過すると、水はそれが得ることができるのと同じくらい透明で清潔である。しかしながら、細菌及びウイルスが残っている場合もある。これらが破壊されることを確実にするために、殺菌プロセスを使用しなければならない。
【００５２】
多くの公共用水システムは、殺菌剤を水に添加する必要がある。殺菌剤は、理想的には、コミュニティ全体に水を運ぶパイプ中に見出される全ての水に存在するべきである。ほとんどの自治体は、塩素又はクロラミンのいずれかを使用している。一部のコミュニティでは、年の異なる時期に、又は他の運用上の理由で、塩素とクロラミンとを切り替える。それほど一般的ではないが、公共施設は二酸化塩素などの他の殺菌剤を使用する。地下水源（コミュニティの井戸のような）からの水を使用するいくつかの水道システムは、殺菌剤を加える必要が全くない。
【００５３】
例えば、米国で使用されている最も一般的な殺菌プロセスは塩素処理である。塩素は、塩素ガス（最も一般的）、二酸化塩素、次亜塩素酸塩（漂白剤）などを含む、多くの異なる形態になっている。
【００５４】
塩素（Ｃｌ２）は安価で主要な殺菌剤であり、水中で深刻な疾患の原因となるバクテリアの大部分を殺す。しかしながら、塩素消毒は多種多様な副産物をもたらす。トリハロメタンとして知られる塩素化副生成物の１つの分類は発がん性物質と疑われている。給水中のこれらの副産物に関する懸念のために、塩素は現在最低レベルに保たれており、他の殺菌方法がより頻繁に使用されている。近年、多くの水道施設が、遊離塩素から、クロラミン、塩素及びアンモニアガスから作られた化合物に切り替えることによって、水処理によって引き起こされる汚染を低減することを試みている。クロラミンは、より安定した殺菌剤を形成し、有害な副産物の危険性をより少なくするが、使用にかかる費用は高くなる。
【００５５】
いずれの方法が使用されても、塩素は、全ての微生物が確実に破壊されるような量で水に添加される。水プラントは、処理された水において、塩素レベルを継続的に、非常に注意深く監視する。水プラントは、水の徹底的な殺菌を確実にするのに十分な塩素を加えなければならないが、消費者に送達されたとき味と臭いの問題を引き起こし得る過剰な添加を回避しなければならない。
【００５６】
一実施形態では、液体媒体中の任意の変換剤の存在又は同一性の不確実性のために、補助変換剤の添加によって変換剤の存在を確実にすることが有利である。
【００５７】
更に別の実施形態では、自治体によって供給される液体媒体は、追加の変換剤が必要とされないように十分な変換剤を含む。好ましくは、液体媒体は、塩素、二酸化塩素、次亜塩素酸塩、及びそれらの混合物からなる群から選択される薬剤で水を処理することによって生じる活性塩素変換剤を含む。
【００５８】
本発明の認識されていないが重要な態様は、洗濯ケア組成物に用いられるロイコ組成物が、特定の自治体によって供給される水から塩素を捕捉し、青味付け効果を増強するだけでなく、塩素感受性染料で染色された織物物品の全体的な色安全性を改善するのに役立つことである。本発明の方法は、驚くべきことに、他の塩素捕捉剤を含む洗濯ケア組成物中のロイコ組成物についても機能することがわかった。理論に束縛されることを望むものではないが、これは、ロイコ化合物が、同じ目的で洗濯ケア組成物に使用されている従来の材料よりもはるかに反応性の高い塩素捕捉剤であるためであると考えられる。
【００５９】
液体媒体は好ましくは水性媒体である。
【００６０】
液体媒体が変換剤を含む場合、青味付け効果は増加する。変換剤は、一重項又は三重項形態の分子状酸素以外の当技術分野において公知の任意の酸化剤であることができる。したがって、液体媒体は、当技術分野において公知の任意の適切な酸化剤又はそれらの混合物を含むことができる。青味付け効果を増加させるための本発明での使用に適した変換剤には、クニノン（例えば、クロルニル、ベンゾキノン、２，３−ジクロロ−５，６−ジシアノ−１，４−ベンゾキノン）、特定の酸素同素体（例えば、オゾン）、過酸化物（例えば、過酸化水素、過酢酸、ｔｅｒｔ−ブチルヒドロペルオキシド、過酸化ベンゾイル、メタ−クロロペルオキシ安息香酸、過酸化水素尿素、ｐ−クメンヒドロペルオキシド、過硫酸塩、オキソン、過ホウ酸塩、過炭酸塩）、窒素酸化物（例えば、一酸化窒素、二酸化窒素、亜酸化窒素、三酸化二窒素、四酸化二窒素、五酸化二窒素、三硝酸アミド）、ハロゲン（例えば、塩素、臭素、フッ素、ヨウ素）、ハロゲン酸化物、及びハロゲンオキシアニオン（例えば、次亜塩素酸塩、亜塩素酸塩、塩素酸塩、過塩素酸塩、臭素酸塩、ヨウ素酸塩、過臭素酸塩、過ヨウ素酸塩、一酸化塩素、二酸化塩素、三酸化塩素、一酸化二臭素、二酸化臭素、三酸化二臭素、一酸化二ヨウ素、一酸化ヨウ素、二酸化ヨウ素、四酸化二ヨウ素、五酸化二ヨウ素、四ヨウ素酸化物）、酸化状態の高い金属種（例えば、酸化鉛（ＩＶ）、二酸化マンガン、酸化マンガン（ＶＩ）、酸化マンガン（ＶＩＩ）、過マンガン酸塩、三酸化クロム、重クロム酸塩、鉄（ＩＩＩ）、メタバナデート、バナデート、ビスマス酸ナトリウム）、及びハロアミン（例えば、クロラミン、ブロマミン、Ｎ−ブロモスクシンイミド、Ｎ−クロロスクシンイミド、Ｎ−ヨードスクシンイミド、Ｎ−ブロモヒダントイン、Ｎ−クロロヒダントイン、Ｎ−ヨードヒダントイン、Ｎ，Ｎ−ジブロモヒダントイン、Ｎ，Ｎ−ジクロロヒダントイン、Ｎ，Ｎ−ジヨードヒダントイン）からなる群から選択される酸化剤が含まれるが、これらに限定されない。
【００６１】
単独で、又は適切な基材若しくはメディエータを伴うかのいずれかで、特定の酸化酵素が変換剤として役立つことができる。適切な酵素の例としては、ペルオキシダーゼ、オキシダーゼ、フェノールオキシダーゼ、リポキシゲナーゼ、及びラッカーゼ、又はそれらの混合物が挙げられるが、これらに限定されない。
【００６２】
本明細書に記載の更なる適切な変換剤は、漂白触媒以外の漂白剤、例えば光漂白剤、漂白活性剤、過酸化水素、過酸化水素源、予め形成された過酸及びそれらの混合物を含む。
【００６３】
他の実施形態では、変換剤は好ましくは触媒金属錯体を含むことができる。１つのタイプの金属含有漂白触媒は、以下のような規定の漂白触媒活性の遷移金属カチオンを含む触媒系であるが、これらに限定されない：銅、鉄、ニッケル、クロム、チタン、ルテニウム、タングステン、モリブデン、又はマンガンカチオン、亜鉛若しくはアルミニウムカチオンなどの漂白触媒活性をほとんど又は全く持たない補助金属カチオン、並びに触媒及び補助金属カチオン、特にエチレンジアミン四酢酸、エチレンジアミンテトラ（メチレンホスホン酸）及びそれらの水溶性塩に対して規定の安定度定数を有する金属イオン封鎖体。そのような触媒は、米国特許第４，４３０，２４３号に記載されている。
【００６４】
他のタイプの漂白触媒としては、米国特許第５，２４６，６２１号及び同第５，２４４，５９４号に開示されているマンガン系錯体が挙げられる。これらの触媒の好ましい例としは、ＭｎＩＶ２（ｕＯ）３（１，４，７−トリメチル−１，４，７−トリアザシクロノナン）２−（ＰＦ６）２（単にＭｎＴＡＣＮと呼ばれることが多い）、ＭｎＩＩＩ２（ｕＯ）１（ｕ）−ＯＡｃ）２（１，４，７−トリメチル−１，４，７−トリアザシクロノナン）２−（ＣｌＯ４）２、ＭｎＩＶ４（ｕＯ）６（１，４，７−トリアザシクロノナン）２−（ＣｌＯ４）２、ＭｎＩＩＩＭｎＩＶ４（ｕＯ）１（ｕ−ＯＡｃ）２−（１，４，７−トリメチル−１，４，７−トリアザシクロノナン）２−（ＣｌＯ４）３、及びそれらの混合物、が挙げられる。欧州特許第５４９，２７２号も参照されたい。本明細書での使用に適した他の配位子としては、１，５，９−トリメチル−１，５，９−トリアザシクロドデカン、２−メチル−１，４，７−トリアザシクロノナン、及びそれらの混合物が挙げられる。
【００６５】
自動食器洗い組成物及び濃縮粉末洗剤組成物において特に使用される漂白触媒もまた、本発明に適したものとして選択されてもよい。適切な漂白触媒の例については、米国特許第４，２４６，６１２号及び同第５，２２７，０８４号を参照されたい。Ｍｎ（１，４，７−トリメチル−１，４，７トリアザシクロノナン）（ＯＣＨ３）３（ＰＦ６）などの単核マンガン（ＩＶ）錯体を教示する米国特許第５，１９４，４１６号も参照されたい。
【００６６】
米国特許第５，１１４，６０６号に開示されるような更に別のタイプの漂白触媒は、少なくとも３つの連続するＣ−ＯＨ基を有する非カルボキシレートポリヒドロキシ化合物である配位子を有するマンガン（ＩＩ）、（ＩＩＩ）、及び／又は（ＩＶ）の水溶性錯体である。好ましい配位子としては、ソルビトール、イジトール、ズルシトール、マンニトール、キシリトール、アラビトール、アドニトール、メソ−エリスリトール、メソ−イノシトール、ラクトース、及びこれらの混合物が挙げられる。
【００６７】
本発明において有用な触媒としては、以下の１つの可能な表現に示されるように、３つのシッフ塩基配位子に錯化したマンガンイオンから構成されるＴｉｎｏｃａｔ（登録商標）ＴＲＳＫＢ２（ＢＡＳＦ）などがあるがこれに限定されない金属含有触媒が挙げられる。
【００６８】
【化２】
2019534392.tif 000003
【００６９】
米国特許第５，１１４，６１１号は、非−（マクロ）−環式配位子を有する、Ｍｎ、Ｃｏ、Ｆｅ又はＣｕを含む遷移金属の錯体を含む漂白触媒を教示している。配位子は、次式のものであり、
【００７０】
【化３】
2019534392.tif 000004
式中、Ｒ１、Ｒ２、Ｒ３、及びＲ４は各々、Ｈ、置換アルキル及びアリール基から選択することができ、各Ｒ１−Ｎ＝Ｃ−Ｒ２及びＲ３−Ｃ＝Ｎ−Ｒ４は、５又は６員環を形成する。環は更に置換されてもよい。Ｂは、Ｏ、Ｓ、ＣＲ５Ｒ６、ＮＲ７及びＣ（Ｏ）から選択される架橋基であり、Ｒ５、Ｒ６、及びＲ７は、置換基又は非置換基を含むＨ、アルキル、又はアリール基から独立して選択することができる。好ましい配位子としては、ピリジン、ピリダジン、ピリミジン、ピラジン、イミダゾール、ピラゾール、及びトリアゾール環が挙げられる。任意に、環は、アルキル、アリール、アルコキシ、ハロゲン化物、及びニトロなどの置換基で置換されてもよい。配位子２，２’−ビスピリジルアミンが特に好ましい。好ましい漂白触媒としては、Ｃｏ、Ｃｕ、Ｍｎ、Ｆｅ、−ビスピリジルメタン及び−ビスピリジルアミン錯体が挙げられる。極めて好ましい触媒としては、Ｃｏ（２，２’−ビスピリジルアミン）Ｃｌ２、ジ（イソチオシアナト）ビスピリジルアミノ−コバルト（ＩＩ）、トリピリジルアミノ−コバルト（ＩＩ）過塩素酸塩、Ｃｏ（２，２−ビスピリジルアミン）２Ｏ２ＣｌＯ４、ビス−（２，２’−ビスピリジルアミン）銅（ＩＩ）過塩素酸塩、トリス（ジ−２−ピリジルアミン）鉄（ＩＩ）過塩素酸塩、及びそれらの混合物が挙げられる。
【００７１】
他の例には、グルコン酸Ｍｎ、Ｍｎ（ＣＦ３ＳＯ３）２、Ｃｏ（ＮＨ３）５Ｃｌ、並びにＮ４ＭｎＩＩＩ（ｕ−Ｏ）２ＭｎＩＶＮ４及び［Ｂｉｐｙ２ＭｎＩＩＩ（ｕ−Ｏ）２ＭｎＩＶｂｉ２］−（ＣｌＯ４）３を含む、テトラ−Ｎ−座配位子及び二−Ｎ−座配位子と錯体形成した二核Ｍｎ、が含まれる。
【００７２】
漂白触媒はまた、水性媒体中で水溶性配位子を水溶性マンガン塩と混合して得られた混合物を蒸発により濃縮することによっても調製することができる。本明細書では、マンガンの任意の便利な水溶性塩を使用することができる。マンガン（ＩＩ）、（ＩＩＩ）、（ＩＶ）及び／又は（Ｖ）は、商業規模で容易に入手可能である。
【００７３】
他の漂白触媒は、例えば、欧州特許第４０８，１３１号（コバルト錯体触媒）、欧州特許出願公開第３８４，５０３，号及び同第３０６，０８９号（メタロポルフィリン触媒）、米国特許第４，７２８，４５５号（マンガン／多座配位子触媒）、米国特許第４，７１１，７４８号、及び欧州特許出願公開第２２４，９５２号（アルミノシリケート触媒上にマンガンを吸収させた）、米国特許第４，６０１，８４５号（マンガン及び亜鉛又はマグネシウム塩を含むアルミノケイ酸塩キャリア）、米国特許第４，６２６，３７３号（マンガン／配位子触媒）、米国特許第４，１１９，５５７号（第二鉄錯体触媒）、独国特許明細書第２，０５４，０１９号（コバルトキレート触媒）、カナダ特許第８６６，１９１号（遷移金属含有塩）、米国特許第４，４３０，２４３号（マンガンカチオン及び非触媒金属カチオンを有するキレート剤）、及び米国特許第４，７２８，４５５号（マンガングルコネート触媒）、に記載されている。
【００７４】
本発明に適した金属触媒の別の例は、米国特許第６，５２８，４６９号に記載されている。米国特許第６，５２８，４６９号は、ペルオキシ化合物に対しても優れた漂白触媒であり、公知の漂白触媒と比較して、低い洗浄温度（例えば、１５〜４０℃）で増強された漂白効果を提供し、及び／又はより短い洗浄時間を使用する、特定の他のマンガン化合物を記載している。ペルオキシ化合物は、既知の方法、例えば、類似の銅化合物に関する米国特許第４，６５５，７８５号に開示されている方法と類似の方法によって製造することができる。
【００７５】
Ｆｅ、Ｎｉ、Ｃｒ、Ｃｕ、などの他の触媒を用いることができる。更に、米国特許第６，０９３，３４３号は、本発明で使用することができる様々なコバルト触媒を記載している。
【００７６】
本発明で使用するための液体媒体中に存在する触媒の典型的な量は、ロイコ化合物を含む洗濯ケア組成物の重量に基づいて、触媒に対して０．００５重量％〜５重量％、好ましくは０．０５重量％〜１．５重量％、より好ましくは０．１０重量％〜０．７５重量％、最も好ましくは約０．５０重量％であることができる。使用される洗濯ケア組成物の用量が１００ｇである場合、そのような触媒の典型的な量は５ｍｇ〜５ｇ、最も好ましくは約０．５ｇまでであることができる。
【００７７】
処理プロセス中に何らかの電極が適用されている限り、陽極酸化を使用して青味付け効果を増加させることも可能である。
【００７８】
本発明の方法において補助変換剤が提供される場合、それらは、洗浄溶液中に存在する変換剤対ロイコ化合物の当量の、１．０：１．０の比、５．０：１．０の比、１０：１．０の比、２５：１の比、１００：１の比、又は更には２５０：１の比、を供給するのに十分な量で用いることができる。
【００７９】
１つの好ましい実施形態では、本発明は、変換剤を含む液体媒体中で洗浄したときに乾燥後に少なくとも５％のロイコ白色度改善番号（ＬＷＩＮ）をもたらす織物物品を処理する方法を提供する。好ましくは、織物物品は、本明細書中に更に詳細に記載されるように、乾燥後に少なくとも１０％のロイコ白色度改善番号（ＬＷＩＮ）を有する。より好ましくは、織物物品は、乾燥後少なくとも１５％、２５％又は５０％のロイコ白色度改善番号（ＬＷＩＮ）、最も好ましくは少なくとも７５％又は更に１００％のロイコ白色度改善番号（ＬＷＩＮ）を有する。
【００８０】
洗濯ケア成分
界面活性剤系
本発明の製品は、約０．００重量％〜、より典型的には約０．１０〜８０重量％の界面活性剤を含むことができる。一態様では、そのような組成物は、約５重量％〜５０重量％の界面活性剤を含むことができる。使用される界面活性剤は、アニオン性、非イオン性、両性（amphoteric）、両性（ampholytic）、双性イオン性、又はカチオン性タイプのものであるか、又はこれらのタイプの相溶性混合物を含むことができる。布地ケア製品が洗濯洗剤である場合、アニオン性及び非イオン性界面活性剤が通常使用される。一方、布地ケア製品が布地柔軟剤である場合、カチオン性界面活性剤が通常使用される。
【００８１】
アニオン性界面活性剤
有用なアニオン性界面活性剤は、それら自体がいくつかの異なるタイプのものであってよい。例えば、高級脂肪酸類の水溶性塩、すなわち「石鹸」は、本明細書の組成物において有用なアニオン性界面活性剤である。これは、約８〜約２４個の炭素原子、又は更には約１２〜約１８個の炭素原子を含有する高級脂肪酸のナトリウム、カリウム、アンモニウム、及びアルキロールアンモニウム塩などのアルカリ金属石鹸を含む。石鹸は、油脂の直接鹸化によって、又は遊離脂肪酸の中和によって作製することができる。特に有用なものは、ココヤシ油及び獣脂から誘導される脂肪酸の混合物のナトリウム塩及びカリウム塩、すなわち、ナトリウム又はカリウムタロー及びココヤシ石鹸である。
【００８２】
好ましいアルキルは、Ｃ８〜１８アルキルアルコキシル化サルフェート、好ましくはＣ１２〜１５アルキル又はヒドロキシアルキルアルコキシル化サルフェートである。好ましくはアルコキシル化基はエトキシル化基である。典型的には、アルキルアルコキシル化サルフェートの平均アルコキシル化度は０．５〜３０若しくは２０、又は０．５〜１０である。アルキル基は、分枝状又は直鎖状であり得る。アルコキシル化アルキルサルフェート界面活性剤は、アルコキシル化アルキルサルフェートの混合物であってもよく、その混合物は、約１２〜約３０個の炭素原子の範囲内の平均（算術平均）炭素鎖長、又は約１２〜約１５の炭素原子の平均炭素鎖長、及び約１モル〜約４モルのエチレンオキシド、プロピレンオキシド、若しくはそれらの混合物の平均（算術平均）アルコキシル化度、又は約１．８モルのエチレンオキシド、プロピレンオキシド、若しくはそれらの混合物の平均（算術平均）アルコキシル化度を有する。アルコキシル化アルキルサルフェート界面活性剤は、約１０個の炭素原子〜約１８個の炭素原子の炭素鎖長、及び約０．１〜約６モルのエチレンオキシド、プロピレンオキシド、又はそれらの混合物のアルコキシル化度を有することができる。アルコキシル化アルキルサルフェートは、エチレンオキシド、プロピレンオキシド、又はそれらの混合物でアルコキシル化されていてもよい。アルキルエーテルサルフェート界面活性剤は、ピークのあるエトキシレート分布を含んでもよい。具体例としては、Ｓｈｅｌｌ製のＮＥＯＤＯＬ（登録商標）アルコールから誘導されるＣ１２〜Ｃ１５  ＥＯ２．５硫酸塩、Ｃ１４〜Ｃ１５  ＥＯ２．５硫酸塩及びＣ１２〜Ｃ１５  ＥＯ１．５硫酸塩、並びにＨｕｎｔｓｍａｎ製の天然アルコールから誘導されるＣ１２〜Ｃ１４  ＥＯ３硫酸塩、Ｃ１２〜Ｃ１６  ＥＯ３硫酸塩、Ｃ１２〜Ｃ１４  ＥＯ２硫酸塩及びＣ１２〜Ｃ１４  ＥＯ１硫酸塩、が挙げられる。ＡＥＳは、直鎖状、分岐状、又はそれらの組み合わせであることができる。アルキル基は、Ｓｈｅｌｌによる商品名Ｎｅｏｄｏｌ（登録商標）、ＳａｓｏｌによるＳａｆｏｌ（登録商標）、Ｌｉａｌ（登録商標）、及びＩｓａｌｃｈｅｍ（登録商標）によって供給されるものなどの合成若しくは天然アルコール、又はココナッツ及びパーム核などの植物油由来のミッドカットアルコール、に由来してもよい。別の適切なアニオン性洗浄性界面活性剤は、Ｃ１０〜Ｃ２６直鎖又は分枝鎖、好ましくはＣ１０〜Ｃ２０直鎖、最も好ましくはＣ１６〜Ｃ１８直鎖アルキルアルコール、及び２〜２０、好ましくは７〜１３、より好ましくは８〜１２、最も好ましくは９．５〜１０．５エトキシレートを含むアルキルエーテルカルボキシレートである。ナトリウム又はアンモニウム塩などの酸形態又は塩形態を使用することができ、アルキル鎖は、１つのシス又はトランス二重結合を含有してもよい。アルキルエーテルカルボン酸は、花王（Ａｋｙｐｏ（登録商標））、Ｈｕｎｔｓｍａｎ（Ｅｍｐｉｃｏｌ（登録商標））及びＣｌａｒｉａｎｔ（Ｅｍｕｌｓｏｇｅｎ（登録商標））から入手可能である。
【００８３】
他の有用なアニオン性界面活性剤は、アルキル基が約９〜約１５個の炭素原子を直状鎖（直鎖）又は分枝鎖の構成で含有する、アルキルベンゼンスルホネートのアルカリ金属塩を含むことができる。いくつかの例では、アルキル基は、直鎖である。そのような直鎖アルキルベンゼンスルホネートは、「ＬＡＳ」として公知である。他の例では、直鎖アルキルベンゼンスルホネートは、アルキル基中に約１１〜１４個の平均炭素原子数を有してもよい。具体的な例では、直鎖直状アルキルベンゼンスルホネートは、アルキル基中約１１．８個の炭素原子の平均炭素原子数を有することができ、Ｃ１１．８  ＬＡＳと略称することができる。好ましいスルホネートは、Ｃ１０〜１３アルキルベンゼンスルホネートである。適切なアルキルベンゼンスルホネート（ＬＡＳ）は、市販の直鎖アルキルベンゼン（ＬＡＢ）をスルホン化することによって得ることができる。適切なＬＡＢとしては、Ｓａｓｏｌにより商品名Ｉｓｏｃｈｅｍ（登録商標）として供給されているもの又はＰｅｔｒｅｓａにより商品名Ｐｅｔｒｅｌａｂ（登録商標）として供給されているものなどの低２−フェニルＬＡＢが挙げられ、他の適切なＬＡＢとしては、Ｓａｓｏｌにより商品名Ｈｙｂｌｅｎｅ（登録商標）として供給されているものなどの高２−フェニルＬＡＢが挙げられる。適切なアニオン性洗浄性界面活性剤は、ＤＥＴＡＬ触媒プロセスによって得られるアルキルベンゼンスルホネートであるが、ＨＦなどの他の合成経路が適切な場合もある。一態様では、ＬＡＳのマグネシウム塩を用いる。本明細書に用いるのに適切なアニオン性スルホネート界面活性剤としては、Ｃ８〜Ｃ１８アルキル又はヒドロキシアルキルスルホネートの水溶性塩、Ｃ１１〜Ｃ１８アルキルベンゼンスルホネート（ＬＡＳ）、国際公開第９９／０５２４３号、同第９９／０５２４２号、同第９９／０５２４４号、同第９９／０５０８２号、同第９９／０５０８４号、同第９９／０５２４１号、同第９９／０７６５６号、同第００／２３５４９号、及び同第００／２３５４８号で議論されている変性アルキルベンゼンスルホネート（ＭＬＡＳ）、メチルエステルスルホネート（ＭＥＳ）並びにα−オレフィンスルホネート（ＡＯＳ）が挙げられる。これらは、１０〜２０炭素原子のパラフィンをスルホン化することによって得られる、モノスルホネート及び／又はジスルホネートであり得るパラフィンスルホネートも含む。スルホネート界面活性剤としてはまた、アルキルグリセリルスルホネート界面活性剤も挙げられる。
【００８４】
本開示のアニオン性界面活性剤は酸形態で存在してもよく、この酸形態を中和して、本発明の洗剤組成物で使用するために望ましい界面活性剤塩を形成してもよい。典型的な中和剤としては、水酸化物、例えばＮａＯＨ又はＫＯＨなどの、金属対イオン塩基が挙げられる。酸形態の、本発明のアニオン性界面活性剤及び補助アニオン性界面活性剤又は補助界面活性剤を中和するための更に好ましい剤としては、アンモニア、アミン、又はアルカノールアミンが挙げられる。アルカノールアミンが好ましい。当該技術分野で既知のモノエタノールアミン、ジエタノールアミン、トリエタノールアミン、及び他の直鎖状若しくは分岐鎖状アルカノールアミンを含む適切な非限定的な例；例えば、かなり好ましいアルカノールアミンとしては、２−アミノ−１−プロパノール、１−アミノプロパノール、モノイソプロパノールアミン、又は１−アミノ−３−プロパノールが挙げられる。
【００８５】
非イオン性界面活性剤
好ましくは、本発明の組成物は非イオン性洗浄性界面活性剤を含む。適切な非イオン性界面活性剤としては、アルコキシル化脂肪族アルコールが挙げられる。非イオン性界面活性剤は、式Ｒ（ＯＣ２Ｈ４），ＯＨのエトキシル化アルコール及びエトキシル化アルキルフェノールから選択することができ、式中、Ｒは、約８〜約１５個の炭素原子を含有する脂肪族炭化水素ラジカル及びアルキル基が約８〜約１２個の炭素原子を含有するアルキルフェニルラジカルからなる群から選択され、ｎの平均値は、約５〜約１５である。本明細書で有用な、非イオン性界面活性剤の他の非限定例としては、ＳｈｅｌｌからのＮＥＯＤＯＬ（登録商標）非イオン性界面活性剤などのＣ８〜Ｃ１８アルキルエトキシレート、アルコキシレート単位がエチレンオキシ単位、プロピレンオキシ単位、又はそれらの混合物であってもよいＣ６〜Ｃ１２のアルキルフェノールアルコキシレート、ＢＡＳＦからのＰｌｕｒｏｎｉｃ（登録商標）などのエチレンオキシド／プロピレンオキシドブロックポリマーを有するＣ１２〜Ｃ１８アルコール及びＣ６〜Ｃ１２アルキルフェノール縮合体、Ｃ１４〜Ｃ２２中鎖分枝状アルコール、ＢＡ、Ｃ１４〜Ｃ２２中鎖分枝状アルキルアルコキシレート、ＢＡＥｘ（式中、ｘは１〜３０）、アルキル多糖類、具体的にはアルキルポリグリコシド、ポリヒドロキシ脂肪酸アミド、及びエーテルキャップ化ポリ（オキシアルキル化）アルコール界面活性剤、が挙げられる。具体例としては、ＳｈｅｌｌからのＣ１２〜Ｃ１５  ＥＯ７及びＣ１４〜Ｃ１５  ＥＯ７  ＮＥＯＤＯＬ（登録商標）非イオン性界面活性剤、ＨｕｎｔｓｍａｎからのＣ１２〜Ｃ１４  ＥＯ７及びＣ１２〜Ｃ１４  ＥＯ９  Ｓｕｒｆｏｎｉｃ（登録商標）非イオン性界面活性剤が挙げられる。
【００８６】
極めて好ましい非イオン性界面活性剤は、ゲルベアルコールと、アルコールモルあたり２〜１８モル、好ましくは２〜１５モル、より好ましくは５〜９モルのエチレンオキシドとの縮合生成物である。適切な非イオン性界面活性剤としては、ＢＡＳＦの商品名Ｌｕｔｅｎｓｏｌ（登録商標）が挙げられる。Ｌｕｔｅｎｓｏｌ  ＸＰ−５０は、平均約５個のエトキシ基を含有するゲルベエトキシレートである。Ｌｕｔｅｎｓｏｌ  ＸＰ−８０は、平均約８個のエトキシ基を含有する。本明細書で使用するための他の適切な非イオン性界面活性剤には、脂肪アルコールポリグリコールエーテル、アルキルポリグルコシド及び脂肪酸グルカミド、ゲルベアルコールに基づくアルキルポリグルコシドが含まれる。
【００８７】
両性（Amphoteric）界面活性剤
界面活性剤系は、アミンオキシドなどの両性界面活性剤を含み得る。好ましいアミンオキシドは、アルキルジメチルアミンオキシド又はアルキルアミドプロピルジメチルアミンオキシド、より好ましくはアルキルジメチルアミンオキシド、特にココジメチルアミンオキシドである。アミンオキシドは、直鎖又は中鎖分枝状アルキル部分を有し得る。
【００８８】
両性（Ampholytic）界面活性剤
界面活性剤系は両性界面活性剤を含むことができる。両性界面活性剤の具体的な、非限定的な例としては、二級若しくは三級アミンの脂肪族誘導体、又は脂肪族基が直鎖又は分岐鎖であり得る複素環式二級及び三級アミンの脂肪族誘導体が挙げられる。その脂肪族置換基の１つは、少なくとも約８個の炭素原子、例えば約８〜約１８個の炭素原子を含んでよく、少なくとも１つは、アニオン性水溶化基、例えばカルボキシ、スルホネート、硫酸塩を含む。両性界面活性剤の適切な例については、米国特許第３，９２９，６７８号、第１９欄、第１８〜３５行を参照されたい。
【００８９】
双性イオン界面活性剤
双性イオン界面活性剤は当技術分野において公知であり、一般に、全体として中性に帯電しているが、少なくとも１つの正電荷原子／基及び少なくとも１つの負電荷原子／基を有する界面活性剤を含む。双性イオン性界面活性剤の例としては、二級及び三級アミン誘導体、複素環式二級及び三級アミン誘導体、又は四級アンモニウム化合物、四級ホスホニウム化合物若しくは三級スルホニウム化合物の誘導体が挙げられる。両性イオン界面活性剤の例については、米国特許第３，９２９，６７８号の第１９欄第３８行〜第２２欄第４８行を参照されたい。アルキルジメチルベタイン及びココジメチルアミドプロピルベタインを含むベタイン、Ｃ８〜Ｃ１８（例えばＣ１２〜Ｃ１８）アミンオキシド並びにＮ−アルキル−Ｎ，Ｎ−ジメチルアミノ−１−プロパンスルホネートなどの、スルホ及びヒドロキシベタイン、ここで、アルキル基は、Ｃ８〜Ｃ１８、特定の実施形態ではＣ１０〜Ｃ１４であることができる。本発明で使用するのに好ましい両性イオン界面活性剤は、ココアミドプロピルベタインである。
【００９０】
カチオン性界面活性剤
カチオン性界面活性剤の例には、特定の２６個までの炭素原子を有することができる四級アンモニウム界面活性剤が含まれる。更なる例には、ａ）米国特許第６，１３６，７６９号に説明されているアルコキシレート第四級アンモニウム（ＡＱＡ）界面活性剤、ｂ）米国特許第６，００４，９２２号に説明されているジメチルヒドロキシエチル第四級アンモニウム、ｃ）国際公開第９８／３５００２号、同第９８／３５００３号、同第９８／３５００４号、同第９８／３５００５号、及び参照により本明細書に組み込まれている国際公開第９８／３５００６号に説明されているポリアミンカチオン性界面活性剤、ｄ）米国特許第４，２２８，０４２号、同第４，２３９，６６０号、同第４，２６０，５２９号及び参照により本明細書に組み込まれている米国特許第６，０２２，８４４号に説明されているカチオン性エステル界面活性剤、ｅ）米国特許第６，２２１，８２５号及び参照により本明細書に組み込まれている国際公開第００／４７７０８号に説明されているアミノ界面活性剤、具体的にはアミドプロピルジメチルアミン（ＡＰＡ）、が含まれる。有用なカチオン性界面活性剤には、米国特許第４，２２２，９０５号（Ｃｏｃｋｒｅｌｌ、１９８０年９月１６日発行）、及び米国特許第４，２３９，６５９号（Ｍｕｒｐｈｙ、１９８０年１２月１６日発行）に開示されるものも含まれ、これらの両方の文献も、参照により本明細書に組み込まれる。第四級アンモニウム化合物は、布地柔軟剤などの布地増強剤組成物中に存在してもよく、正電荷を有する多原子イオンの構造ＮＲ４＋（式中、Ｒはアルキル基又はアリール基）である第四級アンモニウムカチオンを含む。
【００９１】
補助洗浄添加剤
本発明の洗浄組成物はまた、補助洗浄添加剤を含有することができる。洗浄補助添加剤の正確な性質及びその配合レベルは、洗浄組成物の物理的形態、及びそれが使用される洗浄操作の正確な性質に依存するであろう。
【００９２】
補助洗浄添加剤は、ビルダー、構造化剤又は増粘剤、クレイ汚れ除去／再付着防止剤、高分子汚れ除去剤、ポリマー分散剤、ポリマーグリース洗浄剤、酵素、酵素安定化系、漂白化合物、漂白剤、漂白活性剤、漂白触媒、増白剤、染料、色相剤、移染防止剤、キレート剤、抑泡剤、柔軟剤、及び香料からなる群から選択することができる。この補助洗浄添加剤のリストは、単に例示的なものであり、使用することができる補助洗浄添加剤のタイプを限定するものではない。原則として、当技術分野において公知の任意の補助洗浄添加剤を、本発明で使用することができる。
【００９３】
ポリマー
上記組成物は１つ以上のポリマーを含んでよい。全てが任意に変性され得る非限定的な例としては、国際公開第２０１６／０４１６７６号に記載されるように、ポリエチレンイミン、カルボキシメチルセルロース、ポリ（ビニルピロリドン）、ポリ（エチレングリコール）、ポリ（ビニルアルコール）、ポリ（ビニルピリジン−Ｎ−オキシド）、ポリ（ビニルイミダゾール）、ポリカルボキシレート又はアルコキシル化置換フェノール（ＡＳＰ）が挙げられる。ＡＳＰ分散剤の例としては、Ｃｌａｒｉａｎｔから入手可能なＨＯＳＴＡＰＡＬ  ＢＶ  ＣＯＮＣ  Ｓ１０００が挙げられるが、これらに限定されない。
【００９４】
ポリアミンは、グリース、微粒子除去、又は汚れ除去のために使用することができる。多種多様なアミン及びポリアルキレンイミンを様々な程度にアルコキシル化して、疎水性又は親水性の洗浄を達成することができる。そのような化合物としては、エトキシル化ポリエチレンイミン、エトキシル化ヘキサメチレンジアミン、及びこれらを硫酸化したものが挙げられるが、これらに限定されない。そのようなポリマーの有用な例は、ＢＡＳＦから入手可能なＨＰ２０、又は以下の一般構造を有するポリマーである：
ビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）、式中、ｎ＝２０〜３０及びｘ＝３〜８、又はその硫酸化若しくはスルホン化変異体。ポリプロポキシル化−ポリエトキシル化両親媒性ポリエチレンイミン誘導体も、より高い油脂除去及び乳化を達成するために含まれ得る。これらは、好ましくは内側ポリエチレンオキシドブロック及び外側ポリプロピレンオキシドブロックを有するアルコキシル化ポリアルキレンイミンを含んでもよい。洗剤組成物は、飲料汚れ除去の改善に有用な未変性ポリエチレンイミンも含有することができる。様々な分子量のＰＥＩは、ＢＡＳＦ  ＣｏｒｐｏｒａｔｉｏｎからＬｕｐａｓｏｌ（登録商標）の商品名で市販されている。適切なＰＥＩの例としては、Ｌｕｐａｓｏｌ  ＦＧ（登録商標）、Ｌｕｐａｓｏｌ  Ｇ−３５（登録商標）が挙げられるが、これらに限定されない。
【００９５】
組成物は、ポリマー分散剤として有用なマレイン酸／アクリル酸ランダムコポリマー又はポリアクリレートホモポリマーなどの１つ以上のカルボキシレートポリマーを含むことができる。ポリアクリレートから調製されたものなどのアルコキシル化ポリカルボキシレートもまた、クレイ分散性を提供するのに有用である。そのような材料は、国際公開第９１／０８２８１号に記載されている。化学的に、これらの材料は、７〜８個のアクリレート単位ごとに１つのエトキシ側鎖を有するポリアクリレートを含む。側鎖は、式−（ＣＨ２ＣＨ２Ｏ）ｍ（ＣＨ２）ｎＣＨ３であり、式中、ｍは、２〜３、ｎは、６〜１２である。側鎖はポリアクリレートの「骨格」にエステル結合又はエーテル結合して「櫛形」ポリマータイプ構造を提供する。
【００９６】
好ましい両親媒性グラフトコポリマーは、（ｉ）ポリエチレングリコール骨格及び、（ｉｉ）ポリ酢酸ビニル、ポリビニルアルコール、及びこれらの混合物から選択される少なくとも１つのペンダント部分、を含む。両親媒性グラフトコポリマーの例は、ＢＡＳＦから供給されるＳｏｋａｌａｎ  ＨＰ２２である。
【００９７】
国際公開第２０１６／０４１６７６号に記載のアルコキシル化置換フェノールも、クレイ分散性を提供するポリマーの適切な例である。Ｃｌａｒｉａｎｔから入手可能なＨｏｓｔａｐａｌ  ＢＶ  Ｃｏｎｃ  Ｓ１０００は、ＡＳＰ分散剤の１つの非限定的な例である。
【００９８】
好ましくは、組成物は１つ以上の汚れ除去ポリマーを含む。適切な汚れ除去ポリマーは、Ｒｈｏｄｉａによって供給されるＲｅｐｅｌ−ｏ−ｔｅｘ  ＳＦ、ＳＦ−２及びＳＲＰ６を含むＲｅｐｅｌ−ｏ−ｔｅｘポリマーなどのポリエステル汚れ除去ポリマーである。他の適切な汚れ除去ポリマーには、Ｃｌａｒｉａｎｔによって供給されるＴｅｘｃａｒｅ  ＳＲＡ１００、ＳＲＡ３００、ＳＲＮ１００、ＳＲＮ１７０、ＳＲＮ２４０、ＳＲＮ２６０、ＳＲＮ３００及びＳＲＮ３２５を含むＴｅｘｃａｒｅポリマーが含まれる。他の適切な汚れ除去ポリマーは、Ｓａｓｏｌによって供給されるＭａｒｌｏｑｕｅｓｔ  ＳＬ、ＨＳＣＢ、Ｌ２３５Ｍ、Ｂ、Ｇ８２などのＭａｒｌｏｑｕｅｓｔポリマーである。他の適切な汚れ除去ポリマーとしては、米国特許第９，３６５，８０６号に記載されているメチルキャップエトキシル化プロポキシル化汚れ除去ポリマーが挙げられる。
【００９９】
好ましくは、組成物は、カルボキシメチルセルロース、メチルカルボキシメチルセルロース、スルホエチルセルロース、メチルヒドロキシエチルセルロース、カルボキシメチルキシログルカン、カルボキシメチルキシラン、スルホエチルガラクトマンナン、カルボキシメチルガラクトマンナン、ヒドロキシエチルガラクトマンナン、スルホエチルデンプン、カルボキシメチルデンプン、及びそれらの混合物から特に選択され得る、１つ以上の多糖類を含む。本発明における使用に適した他の多糖類はグルカンである。好ましいグルカンは、グリコシド結合（すなわち、グルコシド結合）によって互いに結合されたグルコースモノマー単位を含むポリマーであるポリα−１，３−グルカンであり、ここでグリコシド結合の少なくとも約５０％はα−１，３−グリコシド結合である。ポリα−１，３−グルカンは多糖類のタイプである。ポリα−１，３−グルカンは、例えば、米国特許第７，０００，０００号、及び米国特許出願公開第２０１３／０２４４２８８号及び同第２０１３／０２４４２８７号（これらは全て参照により本明細書に組み込まれる）に記載されているものなどの、１つ以上のグルコシルトランスフェラーゼ酵素を用いてスクロースから酵素的に産生することができる。
【０１００】
組成物に使用するための他の適切な多糖類は、カチオン性多糖類である。カチオン性多糖類の例としては、カチオン性グアーガム誘導体、四級窒素含有セルロースエーテル、並びにエーテル化セルロース、グアー、及びデンプンのコポリマーである合成ポリマーが挙げられる。使用される場合、本明細書におけるカチオン性ポリマーは、組成物に可溶性であるか、又は上述のカチオン性ポリマー、並びにアニオン性、両性及び／又は双極性界面活性剤成分によって形成される組成物中の複合コアセルベート相に可溶性である。適切なカチオン性ポリマーは、米国特許第３，９６２，４１８号、同第３，９５８，５８１号、及び米国特許出願公開第２００７／０２０７１０９（Ａ１）号に記載されている。
【０１０１】
ポリマーは、他の洗剤原材料の付着補助剤としても機能することができる。好ましい付着補助剤は、カチオン性及び非イオン性ポリマーからなる群から選択される。適切なポリマーとしては、カチオンデンプン、カチオン性ヒドロキシエチルセルロース、ポリビニルホルムアルデヒド、ローカストビーンガム、マンナン、キシログルカン、タマリンドガム、ポリエチレンテレフタレート、並びに任意にアクリル酸及びアクリルアミドを含む群から選択される１つ以上のモノマーと共にジメチルアミノエチルメタクリレートを含有するポリマーが挙げられる。
【０１０２】
追加的アミン
ポリアミンは、グリース除去を改善することが知られている。性能のための好ましい環式及び直鎖アミンは、１，３−ビス（メチルアミン）−シクロヘキサン、４−メチルシクロヘキサン−１，３−ジアミン（ＢＡＳＦによって供給されるＢａｘｘｏｄｕｒ  ＥＣＸ  ２１０）、１，３プロパンジアミン、１，６ヘキサンジアミン、１，３ペンタンジアミン（Ｉｎｖｉｓｔａによって供給されるＤｙｔｅｋ  ＥＰ）、２−メチル１，５ペンタンジアミン（Ｉｎｖｉｓｔａによって供給されるＤｙｔｅｋ  Ａ）である。米国特許第６７１００２３号は、ジアミン及び少なくとも３つのプロトン化可能アミンを含有するポリアミンを含む手洗い食器洗い組成物を開示している。本発明によるポリアミンは、洗浄ｐＨより高い少なくとも１つのｐｋａ及び約６より大きく洗浄ｐＨより低い少なくとも２つのｐｋａを有する。好ましいポリアミンは、テトラエチレンペンタミン、ヘキサエチルヘキサミン、ヘプタエチルヘプタミン、オクタエチルオクタミン、非エチルノナミン、並びにＤｏｗ、ＢＡＳＦ及びＨｕｎｔｍａｎから市販されているそれらの混合物からなる群から選択される。特に好ましいポリエーテルアミンは、米国特許第９７５２１０１号、同第９４８７７３９号、同第９６３１１６３号に記載されているように親油性変性されている。
【０１０３】
移染防止剤（ＤＴＩ）
本発明の組成物は、１つ以上の移染防止剤を含むことができる。本発明の一実施形態では、驚くべきことに、特定の染料に加えて、ポリマー移染防止剤を含む組成物は、性能が向上することを本発明者らは発見した。ポリマー移染防止剤が染料の付着を防ぐため、これは、驚くべきことである。適切な移染防止剤としては、ポリビニルピロリドンポリマー、ポリアミンＮ−オキシドポリマー、Ｎ−ビニルピロリドンとＮ−ビニルイミダゾールとのコポリマー、ポリビニルオキサゾリドン、及びポリビニルイミダゾール、又はこれらの混合物が挙げられるが、これらに限定されない。適切な例としては、Ａｓｈｌａｎｄ  ＡｑｕａｌｏｎからのＰＶＰ−Ｋ１５、ＰＶＰ−Ｋ３０、ＣｈｒｏｍａＢｏｎｄ  Ｓ−４００、ＣｈｒｏｍａＢｏｎｄ  Ｓ−４０３Ｅ及びＣｈｒｏｍａｂｏｎｄ  Ｓ−１００、並びにＢＡＳＦからのＳｏｋａｌａｎ  ＨＰ１６５、Ｓｏｋａｌａｎ  ＨＰ５０、Ｓｏｋａｌａｎ  ＨＰ５３、Ｓｏｋａｌａｎ  ＨＰ５９、Ｓｏｋａｌａｎ（登録商標）ＨＰ５６Ｋ、Ｓｏｋａｌａｎ（登録商標）ＨＰ６６が挙げられる。他の適切なＤＴＩは、国際公開第２０１２／００４１３４号に記載されているようなものである。対象組成物に存在する場合、移染防止剤は、組成物の約０．０００１重量％〜約１０重量％、約０．０１重量％〜約５重量％、又は更には約０．１重量％〜約３重量％の濃度で存在してよい。
【０１０４】
酵素
布地の洗濯の際に遊離する染料移行を防止するため、並びに布地を修復するための、タンパク質系、炭水化物系、又はトリグリセリド系のシミの基質からの除去を含む多様な目的のために、酵素を本洗浄組成物に含めてもよい。適切な酵素には、植物、動物、細菌、真菌、及び酵母起源質のような任意の適切な起源物質からのプロテアーゼ、アミラーゼ、リパーゼ、カルボヒドラーゼ、セルラーゼ、オキシダーゼ、ペルオキシダーゼ、マンナナーゼ及びこれらの混合物が含まれる。本明細書に記載の洗浄組成物に使用され得る他の酵素としては、ヘミセルラーゼ、ペルオキシダーゼ、プロテアーゼ、セルラーゼ、エンドグルカナーゼ、キシラナーゼ、リパーゼ、ホスホリパーゼ、アミラーゼ、グルコアミラーゼ、キシラナーゼ、エステラーゼ、クチナーゼ、ペクチナーゼ、ケラターゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、若しくはそれらの混合物、エステラーゼ、マンナナーゼ、ペクチン酸リアーゼ、及び又はそれらの混合物が挙げられる。他の適切な酵素は、ヌクレアーゼ酵素を含む。組成物は、ヌクレアーゼ酵素を含むことができる。ヌクレアーゼ酵素は、核酸のヌクレオチドサブユニット間のホスホジエステル結合を切断することができる酵素である。本明細書におけるヌクレアーゼ酵素は、好ましくは、デオキシリボヌクレアーゼ若しくはリボヌクレアーゼ酵素、又はこれらの機能的断片である。酵素の選択は、ｐＨ活性及び／又は安定性の最適条件、熱安定性、及び活性洗剤、ビルダーなどに対する安定性のような要因に影響される。
【０１０５】
酵素は、洗浄組成物の０．０００１重量％〜５重量％の活性酵素のレベルで洗浄組成物に組み込まれてもよい。酵素は、別個の単一成分として、又は２つ以上の酵素の混合物として、加えることができる。
【０１０６】
いくつかの実施形態では、リパーゼが使用され得る。リパーゼは、Ｎｏｖｏｚｙｍｅｓ（Ｄｅｎｍａｒｋ）からＬｉｐｅｘの商品名で購入することができる。アミラーゼ（Ｎａｔａｌａｓｅ（登録商標）、Ｓｔａｉｎｚｙｍｅ（登録商標）、Ｓｔａｉｎｚｙｍｅ  Ｐｌｕｓ（登録商標））はＮｏｖｏｚｙｍｅｓ（Ｂａｇｓｖａｅｒｄ，Ｄｅｎｍａｒｋ）により供給され得る。プロテアーゼは、Ｇｅｎｅｎｃｏｒ  Ｉｎｔｅｒｎａｔｉｏｎａｌ（Ｐａｌｏ  Ａｌｔｏ，Ｃａｌｉｆ．，ＵＳＡ）（例えばＰｕｒａｆｅｃｔ  Ｐｒｉｍｅ（登録商標））によって、又はＮｏｖｏｚｙｍｅｓ（Ｂａｇｓｖａｅｒｄ，Ｄｅｎｍａｒｋ）（例えばＬｉｑｕａｎａｓｅ（登録商標）、Ｃｏｒｏｎａｓｅ（登録商標）、Ｓａｖｉｎａｓｅ（登録商標））によって供給され得る。他の好ましい酵素としては、ペクチン酸リアーゼ、好ましくは商品名Ｐｅｃｔａｗａｓｈ（登録商標）、Ｘｐｅｃｔ（登録商標）、Ｐｅｃｔｗａｙｅ（登録商標）で販売されているもの、並びに商品名Ｍａｎｎａｗａｙ（登録商標）（全てＮｏｖｏｚｙｍｅｓ  Ａ／Ｓ（Ｂａｇｓｖａｅｒｄ、Ｄｅｎｍａｒｋ）から）及びＰｕｒｂｒｉｔｅ（登録商標）（Ｇｅｎｅｎｃｏｒ  Ｉｎｔｅｒｎａｔｉｏｎａｌ  Ｉｎｃ．（Ｐａｌｏ  Ａｌｔｏ，Ｃａｌｉｆｏｒｎｉａ））で販売されているマンナナーゼが挙げられる。酵素材料の範囲及びそれらの合成洗浄組成物への組み込みのための手段は、国際公開第９３０７２６３（Ａ）号、同第９３０７２６０（Ａ）号、同第８９０８６９４（Ａ）号、米国特許第３，５５３，１３９号、同第４，１０１，４５７号、及び米国特許第４，５０７，２１９号、に開示されている。液体洗剤配合物に有用な酵素材料、及びこのような配合物への酵素の組み込みは、米国特許第４，２６１，８６８号に開示されている。
【０１０７】
酵素安定化系
本明細書に記載されている酵素含有組成物は、任意に、組成物の重量基準で、約０．００１％〜約１０％、いくつかの例では、約０．００５％〜約８％、及び別の例では、約０．０１％〜約６％の酵素安定化系を含んでもよい。酵素安定化系は、洗浄性酵素と適合性のある任意の安定化系であってよい。そのような系は、他の配合物活性物質によって本質的に提供されてもよく、又は洗剤に使用可能な酵素の配合者若しくは製造業者によって別個に添加されてもよい。そのような安定化系は、例えば、カルシウムイオン、ホウ酸、プロピレングリコール、短鎖カルボン酸、ボロン酸、塩素漂白剤捕捉剤及びそれらの混合物が含むことができ、洗浄組成物のタイプ及び物理形態に応じて様々な安定化問題に対処するように設計される。ホウ酸塩系安定化剤のレビューは、米国特許第４，５３７，７０６号を参照されたい。
【０１０８】
キレート剤。
好ましくは、本組成物は、キレート剤及び／又は結晶成長阻害物質を含む。適切な分子としては、銅、鉄、及び／又はマンガンキレート剤、並びにこれらの混合物が挙げられる。適切な分子としては、アミノカルボキシレート、アミノホスホネート、サクシネート、これらの塩、及びこれらの混合物が挙げられる。本明細書に用いるための適切なキレート剤の非限定的な例としては、エチレンジアミンテトラアセテート、Ｎ−（ヒドロキシエチル）−エチレン−ジアミン−トリアセテート、ニトリロトリアセテート、エチレンジアミンテトラプロピオネート、トリエチレン−テトラアミン−ヘキサアセテート、ジエチレントリアミン−ペンタアセテート、エタノールジグリシン、エチレンジアミンテトラキス（メチレンホスホネート）、ジエチレントリアミンペンタ（メチレンホスホン酸）（ＤＴＰＭＰ）、エチレンジアミンジスクシネート（ＥＤＤＳ）、ヒドロキシエタンジメチレンホスホン酸（ＨＥＤＰ）、メチルグリシン二酢酸（ＭＧＤＡ）、ジエチレントリアミン五酢酸（ＤＴＰＡ）、及び１，２−ジヒドロキシベンゼン−３，５−ジスルホン酸（タイロン）、その塩、及びそれらの混合物が挙げられる。タイロン及び他のスルホン化カテコールも、有効な重金属キレート剤として使用することができる。本発明で用いるキレート剤の他の非限定的な例は、米国特許第７４４５６４４号、同第７５８５３７６号、及び米国特許出願公開第２００９／０１７６６８４（Ａ１）号に見出される。本明細書で用いるための適切な他のキレート剤は、市販のＤＥＱＵＥＳＴシリーズ、並びにＭｏｎｓａｎｔｏ、ＤｕＰｏｎ、及びＮａｌｃｏ，Ｉｎｃ．からのキレート剤である。
【０１０９】
増白剤
蛍光増白剤若しくはその他の増白剤、又は白化剤は、組成物の重量基準で、約０．０１％〜約１．２％のレベルで本明細書に記載されている洗浄組成物に配合することができる。本明細書で使用することができる市販の蛍光増白剤は、スチルベン誘導体、ピラゾリン、クマリン、カルボン酸、メチンシアニン、ジベンゾチオフェン−５，５−ジオキシド、アゾール、５及び６員環の複素環、並びに他の種々の薬剤を含むサブグループに分類することができるが、必ずしもこれらに限定されない。そのよう増白剤の例は、「Ｔｈｅ  Ｐｒｏｄｕｃｔｉｏｎ  ａｎｄ  Ａｐｐｌｉｃａｔｉｏｎ  ｏｆ  Ｆｌｕｏｒｅｓｃｅｎｔ  Ｂｒｉｇｈｔｅｎｉｎｇ  Ａｇｅｎｔｓ」Ｍ．Ｚａｈｒａｄｎｉｋ，Ｊｏｈｎ  Ｗｉｌｅｙ  ＆  Ｓｏｎｓ，Ｎｅｗ  Ｙｏｒｋ（１９８２）に開示されている。本組成物で有用であり得る、蛍光増白剤の具体的な非限定的な例は、米国特許第４，７９０，８５６号及び同第３，６４６，０１５号に示されるものである。非常に好ましい増白剤としては、４，４’−ビス｛［４−アニリノ−６−［ビス（２−ヒドロキシエチル）アミノ−ｓ−トリアジン−２−イル］−アミノ｝−２，２’−スチルベンジスルホネート二ナトリウム、４，４’−ビス｛［４−アニリノ−６−モルホリノ−ｓ−トリアジン−２−イル］−アミノ｝−２，２’−スチルベンジスルホネート、４，４”−ビス［（４，６−ジ−アニリノ−ｓ−トリアジン−２−イル）−アミノ］−２，２’−スチルベンジスルホネート二ナトリウム及び４，４’−ビス−（２−スルホスチリル）ビフェニル二ナトリウム、が挙げられる。
【０１１０】
漂白剤。
本組成物は１つ以上の漂白剤を含むことが好ましい場合がある。適切な漂白剤としては、光漂白剤、過酸化水素、過酸化水素源、予備形成過酸及びそれらの混合物が挙げられる。
（１）光漂白剤、例えば、スルホン化亜鉛フタロシアニン、スルホン化アルミニウムフタロシアニン、キサンテン染料、及びこれらの混合物。
（２）予形成過酸：適切な予形成過酸としては、予形成ペルオキシ酸又はその塩、典型的には過カルボン酸及び塩、過炭酸及び塩、過イミド酸及び塩、ペルオキシ一硫酸及び塩、例えばＯｘｏｎｅ（登録商標）、並びにこれらの混合物からなる群から選択される化合物が挙げられるが、これらに限定されない。適切な例としては、ペルオキシカルボン酸若しくはその塩、又はペルオキシスルホン酸若しくはその塩が挙げられる。特に好ましいペルオキシ酸はフタルイミド−ペルオキシ−アルカン酸、特に、ε−フタルイミドペルオキシヘキサン酸（ＰＡＰ）である。好ましくは、ペルオキシ酸又はその塩は、３０℃〜６０℃の範囲の融点を有する。
（３）過酸化水素源、例えば、過ホウ酸塩（通常、一水和物又は四水和物）、過炭酸塩、過硫酸塩、過リン酸塩、過ケイ酸塩、及びこれらの混合物のナトリウム塩などのアルカリ金属塩を含む、無機過水和物の塩。
【０１１１】
布地シェーディング染料
布地シェーディング染料（色調剤、青味剤又は白色剤と呼ばれることもある）は、典型的には、青又は紫のシェーディングを布地にもたらす。そのような染料は当技術分野において周知であり、特定のシェーディングの色合いを作り出すために及び／又は異なる布地タイプをシェーディングするために、単独で又は組み合わせてのいずれかで使用することができる。布地シェーディング染料は、アクリジン、アントラキノン（多環式キノンを含む）、アジン、アゾ（例えば、モノアゾ、ジスアゾ、トリスアゾ、テトラキスアゾ、ポリアゾ）、ベンゾジフラン、ベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ、ニトロソ、オキサジン、フタロシアニン、ピラゾール、スチルベン、スチリル、トリアリールメタン、トリフェニルメタン、キサンテン、及びそれらの混合物を含むがこれらに限定されない、当技術分野において公知の任意の化学分類の染料から選択することができる。本発明の洗濯ケア組成物中に存在する補助布地シェーディング染料の量は、典型的には、全洗浄組成物に基づいて０．０００１〜０．０５重量％、好ましくは０．０００１〜０．００５重量％である。洗浄液に基づいて、布地シェーディング染料の濃度は典型的には１ｐｐｂ〜５ｐｐｍ、好ましくは１０ｐｐｂ〜５００ｐｐｂである。
【０１１２】
適切なシェーディング染料としては、小分子染料、ポリマー染料及び染料−クレイ結合体が挙げられる。好ましい布地シェーディング染料は、小分子染料及び高分子染料から選択される。適切な小分子染料を、カラーインデックス（Ｃ．Ｉ．，Ｓｏｃｉｅｔｙ  ｏｆ  Ｄｙｅｒｓ  ａｎｄ  Ｃｏｌｏｕｒｉｓｔｓ（Ｂｒａｄｆｏｒｄ，ＵＫ））分類の酸性染料、直接染料、塩基性染料、反応染料、溶剤染料、又は分散染料に該当する染料からなる群から選択することができる。
【０１１３】
適切なポリマー染料としては、共有結合した（結合したと称することもある）色原体（染料ポリマー結合体としても知られるもの）を含有するポリマー、例えば、ポリマーの主鎖中に共重合した色原体モノマーを有するポリマー、及びそれらの混合物からなる群から選択される染料が挙げられる。好ましいポリマー染料は、アルコキシル化トリフェニルメタンポリマー着色料、アルコキシル化炭素環アゾ着色料、及びアルコキシル化チオフェンポリマー着色料をはじめとするアルコキシル化複素環アゾ着色料、並びにそれらの混合物などの任意に置換されたアルコキシル化染料を含み、Ｌｉｑｕｉｔｉｎｔ（登録商標）（Ｍｉｌｌｉｋｅｎ，Ｓｐａｒｔａｎｂｕｒｇ（Ｓｏｕｔｈ  Ｃａｒｏｌｉｎａ，ＵＳＡ））の名称で販売の布地直接着色料などがある。
【０１１４】
適切な染料クレイ結合体としては、少なくとも１つのカチオン染料／塩基性染料及びスメクタイトクレイを含む群から選択される染料クレイ結合体が挙げられ、好ましいクレイは、モンモリロナイトクレイ、ヘクトライトクレイ、サポナイトクレイ、及びそれらの混合物からなる群から選択されるものでよい。
【０１１５】
顔料は当技術分野において周知であり、本明細書の洗濯ケア組成物に使用されてもよい。適切な顔料としては、Ｃ．Ｉ  Ｐｉｇｍｅｎｔ  Ｂｌｕｅｓ  １５〜２０、特に１５及び／又は１６、Ｃ．Ｉ．Ｐｉｇｍｅｎｔ  Ｂｌｕｅ  ２９、Ｃ．Ｉ．Ｐｉｇｍｅｎｔ  Ｖｉｏｌｅｔ  １５、Ｍｏｎａｓｔｒａｌ  Ｂｌｕｅ及びそれらの混合物が挙げられる。
【０１１６】
ビルダー
本発明の洗浄組成物は、任意に、ビルダーを含んでもよい。
【０１１７】
アルミノケイ酸塩及びケイ酸塩から選択されるビルダーは、洗浄水中のミネラル硬度を制御するのを助け、又は表面から微粒子汚れを除去するのを助ける。適切なビルダーは、ホスフェート、ポリホスフェート、特にそのナトリウム塩、炭酸塩、重炭酸塩、セスキ炭酸塩、及び炭酸ナトリウム又はセスキ炭酸塩以外の炭酸塩鉱物、有機モノ−、ジ−、トリ−、及びテトラカルボキシレート、特に、酸、ナトリウム、カリウム、又はアルカノールアンモニウム塩形態の水溶性非界面活性剤カルボキシレート、並びに脂肪族及び芳香族タイプを含むオリゴマー又は水溶性低分子量ポリマーカルボキシレート、並びにフィチン酸からなる群から選択することができる。これらは、例えば、ｐＨ緩衝化の目的のためのホウ酸塩によって、又は硫酸塩、とりわけ硫酸ナトリウム、及び安定な界面活性剤及び／又はビルダー含有洗浄組成物の工学に重要となり得る任意の他の充填剤又はキャリアによって補完されてもよい。
【０１１８】
ｐＨ緩衝系
組成物はまた、ｐＨ緩衝系も含むことができる。本明細書の洗浄組成物は、水性洗浄操作での使用中に、洗浄水が約６．０〜約１２、いくつかの例では約７．０〜１１のｐＨを有するように配合することができる。推奨される使用レベルでｐＨを制御する技法としては、緩衝剤、アルカリ、酸の使用が挙げられ、これらは当業者には周知である。これらには、炭酸ナトリウム、クエン酸又はクエン酸ナトリウム、モノエタノールアミン又は他のアミン、ホウ酸又はホウ酸塩、及び当技術分野において周知の他のｐＨ調整化合物の使用が含まれるが、これらに限定されない。本明細書の洗浄組成物は、クエン酸の放出を遅らせることによって、動的な洗浄中ｐＨプロファイルを含むことができる。
【０１１９】
構造化剤／増粘剤
構造化液体は、内部的に構造化することによって、一次成分（例えば界面活性剤物質）によってその構造を形成することも、及び／又は、二次成分（例えば、ポリマー、粘土、及び／又はケイ酸塩材料）を用いて、三次元マトリックス構造をもたらすことによって、外部的に構造化することもできる。組成物は、組成物の重量に基づき約０．０１％〜約５％の構造化剤、及びいくつかの例では、組成物の重量に基づき約０．１％〜約２．０％の構造化剤を含み得る。構造化剤は、ジグリセリド及びトリグリセリド、ジステアリン酸エチレングリコール、微結晶セルロース、セルロース系物質、マイクロファイバーセルロース、バイオポリマー、キサンタンガム、ジェランガム、及びこれらの混合物からなる群から選択され得る。いくつかの実施例において、適切な構造化剤としては、硬化ヒマシ油、及びその非エトキシル化誘導体が挙げられる。他の適切な構造化剤は、米国特許第６，８５５，６８０号に開示されている。このような構造化剤は、ある範囲のアスペクト比を有する糸様構造系を有する。更なる適切な構造化剤、及びそれらの構造化剤を作製するプロセスは、国際公開第２０１０／０３４７３６号に記載されている。
【０１２０】
抑泡剤
泡の形成を低減又は抑制するための化合物を、本明細書に記載の洗浄組成物に組み込むことができる。抑泡制は、米国特許第４，４８９，４５５号及び同第４，４８９，５７４号に記載されているようないわゆる「高濃度洗浄プロセス」において、そしてフロントローディング方式の洗濯機において、特に重要である可能性がある。
【０１２１】
広範な材料を抑泡剤として使用してよく、抑泡剤は当業者に周知である。例えば、Ｋｉｒｋ  Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ、第３版、第７巻、４３０〜４４７頁（Ｊｏｈｎ  Ｗｉｌｅｙ  ＆  Ｓｏｎｓ，Ｉｎｃ．、１９７９年）を参照されたい。抑泡剤の例としては、モノカルボン酸脂肪酸及びその中の可溶性塩、パラフィンのような高分子量炭化水素、脂肪酸エステル（例えば脂肪酸トリグリセリド）、一価アルコールの脂肪酸エステル、脂肪族Ｃ１８〜Ｃ４０ケトン（例えばステアロン）、Ｎ−アルキル化アミノトリアジン、好ましくは約１００℃未満の融点を有するワックス状炭化水素、シリコーン抑泡剤、及び第二級アルコール、が挙げられる。抑泡剤は、米国特許第２，９５４，３４７号、同第４，０７５，１１８号、同第４，２６５，７７９号、同第４，２６５，７７９号、同第３，４５５，８３９号、同第３，９３３，６７２号、同第４，６５２，３９２号、同第４，９７８，４７１号、同第４，９８３，３１６号、同第５，２８８，４３１号、同第４，６３９，４８９号、同第４，７４９，７４０号及び同第４，７９８，６７９号、に記載されている。
【０１２２】
本明細書の洗浄組成物は、組成物の０重量％〜約１０重量％の抑泡剤を含んでもよい。抑泡剤として利用する場合、脂肪族モノカルボン酸及びその塩は、洗浄組成物の最大約５重量％の量で存在することができ、いくつかの例では、洗浄組成物の約０．５重量％〜約３重量％であることができる。シリコーン抑泡剤は、洗浄組成物の最大約２．０重量％までの量で使用することができるが、より多い量を使用してもよい。モノステアリルホスフェート抑泡剤は、洗浄組成物の約０．１重量％〜約２重量％の範囲の量で利用することができる。炭化水素抑泡剤は、洗浄組成物の約０．０１重量％〜約５．０重量の範囲の量で利用することができるが、より多い量を使用してもよい。アルコール抑泡剤は、洗浄組成物の約０．２％〜約３重量％で使用することができる。
【０１２３】
増泡剤
高い泡立ちを望む場合、洗浄組成物の約１重量％〜約１０重量％のＣ１０〜Ｃ１６アルカノールアミドなどの増泡剤を、洗浄組成物に配合することができる。いくつかの例としては、Ｃ１０〜Ｃ１４モノエタノールアミド及びジエタノールアミドが挙げられる。所望の場合、更なる泡をもたらして、グリース除去性能を高めるために、ＭｇＣｌ２、ＭｇＳＯ４、ＣａＣｌ２、ＣａＳＯ４などの水溶性マグネシウム及び／又はカルシウム塩を、洗浄組成物の約０．１重量％〜約２重量％のレベルで加えてもよい。
【０１２４】
充填剤及びキャリア
本明細書において記載されている洗浄組成物に、充填剤及びキャリアを用いてもよい。本明細書において使用する場合、用語「充填剤」及び「キャリア」は、同じ意味を有し、互換的に使用できる。液体洗浄組成物、及び液体成分を含む他の形態の洗浄組成物（液体含有単位用量洗浄組成物など）は、充填剤又はキャリアとして水及び他の溶媒を含有することができる。メタノール、エタノール、プロパノール、イソプロパノール、及びフェノキシエタノールによって例示される低分子量の一級又は二級アルコールが適切である。一価アルコールは、界面活性剤を可溶化するためのいくつかの例において使用されてもよく、２〜約６個の炭素原子及び２〜約６個のヒドロキシ基を含有するものなどのポリオール（例えば、１，２−プロパンジオール、１，３−プロパンジオール、２，３−ブタンジオール、エチレングリコール、及びグリセリンを使用することができる）。アミン含有溶媒もまた、使用することができる。
【０１２５】
使用方法
本発明は布地を白色化する方法を含む。消費者への販売に適したコンパクトな流体洗剤組成物は、洗濯前処理用途、洗濯洗浄用途、及びホームケア用途での使用に適している。そのような方法には、そのままの形態で又は洗浄液で希釈した洗剤組成物を、汚れていても汚れていなくてもよい布地の少なくとも一部と接触させ、次いで任意に布地をすすぐステップが含まれるが、これに限定されない。布地材料は、任意のすすぎステップの前に洗浄ステップを受けることができる。機械洗濯の方法は、本発明による有効量の機械洗濯洗剤組成物を溶解又は分散した洗濯機中で汚れた洗濯物を水性洗浄溶液で処理することを含み得る。「有効量」の洗剤組成物とは、約５Ｌ〜約６５Ｌの体積の洗浄溶液中に溶解又は分散された約２０ｇ〜約３００ｇの生成物を意味する。水温は、約５℃〜約１００℃の範囲であってもよい。水対汚れた材料（例えば、布地）の比は、約１：１〜約３０：１であってもよい。本組成物は、溶液中約５００ｐｐｍ〜約１５，０００ｐｐｍの濃度で使用され得る。布地洗濯組成物の文脈において、使用レベルは、汚れ及びシミのタイプ並びに程度だけでなく、洗浄水の温度、洗浄水の体積、及び洗濯機のタイプ（例えば、トップローディング、フロントローディング、垂直軸の日本タイプ自動洗濯機）にも応じて変化してもよい。
【０１２６】
本明細書の洗剤組成物は、低温の洗浄温度で布地を洗濯するために使用され得る。布地を洗濯するこれらの方法は、洗濯洗剤組成物を水に供給して洗浄液を形成するステップと、洗濯する布地を洗浄液に加えるステップとを含み、ここで、洗浄液は約０℃〜約２０℃、又は約０℃〜約１５℃、又は約０℃〜約９℃の温度を有する。洗濯洗剤組成物を水と接触させる前、後、又は同時に、布地を水に接触させてもよい。別の方法は、洗剤組成物で含浸した不織布基材を汚れた素材と接触させることを含む。本明細書で使用するとき、「不織布基材」は、適切な秤量、キャリパー（厚み）、吸収性、及び強度特性を有する従来式の任意の不織布シート又はウェブを含むことができる。適切な市販の不織布基材の非限定的な例としては、ＤｕＰｏｎｔによってＳＯＮＴＡＲＡ（登録商標）の商品名で、及びＪａｍｅｓ  Ｒｉｖｅｒ  ＣｏｒｐによってＰＯＬＹ  ＷＥＢ（登録商標）の商品名で市販されているものが挙げられる。
【０１２７】
手洗い／浸漬方法、及び手洗いと半自動洗濯機との組み合わせもまた、含まれる。
【０１２８】
組成物の包装
本明細書に記載の洗浄組成物は、紙、厚紙、プラスチック材料、及び任意の適切な積層体から構成されたものを含む任意の適切な容器に包装することができる。任意選択の包装タイプは、欧州特許出願公開第９４９２１５０５．７号に記載されている。
【０１２９】
多区画パウチ
本明細書に記載の洗浄組成物は、多区画洗浄組成物として包装することもできる。
【０１３０】
他の添加剤成分
多種多様な他の成分が本明細書の洗浄組成物中で使用されてもよく、それらとしては、例えば、他の活性成分、キャリア、ヒドロトロープ、加工助剤、染料又は顔料、液体配合物用溶媒、固体又は他の液体の充填剤、エリトロシン、コロイド状シリカ、ワックス、プロバイオティクス、サーファクチン、アミノセルロースポリマー、亜鉛リシノール酸、香料マイクロカプセル、ラムノリピド、ソホロ脂質、グリコペプチド、メチルエステルエトキシレート、スルホン化エストリド、開裂可能な界面活性剤、バイオポリマー、シリコーン、変性シリコーン、アミノシリコーン、付着助剤、ヒドロトロープ（特にキュメンスルホネート、トルエンスルホネート、キシレンスルホネート、及びナフタリン塩）、ＰＶＡ粒子カプセル化染料又は香料、真珠光沢剤、発泡剤、色変化システム、シリコーンポリウレタン、乳白剤、錠剤崩壊剤、バイオマス充填剤、速乾性シリコーン、グリコールジステアレート、デンプン香料カプセル、炭化水素油を含む乳化油、ポリオレフィン、及び脂肪酸エステル、ビスフェノール酸化防止剤、微細繊維状セルロース界面活性剤、プロ芳香剤、スチレン／アクリレートポリマー、トリアジン、石鹸、スーパーオキシドジスムターゼ、ベンゾフェノンプロテアーゼ阻害剤、官能性を持たせたＴｉＯ２、ジブチルホスフェート、シリカ香料カプセル、及び他の補助成分、コリンオキシダーゼ、トリアリールメタンブルー及びバイオレットベーシック染料、メチンブルー及びバイオレットベーシック染料、アントラキノンブルー及びバイオレットベーシック染料、アゾ染料ベーシックブルー１６、ベーシックブルー６５、ベーシックブルー６６、ベーシックブルー６７、ベーシックブルー７１、ベーシックブルー１５９、ベーシックバイオレット１９、ベーシックバイオレット３５、ベーシックバイオレット３８、ベーシックバイオレット４８、オキサジン染料、ベーシックブルー３、ベーシックブルー７５、ベーシックブルー９５、ベーシックブルー１２２、ベーシックブルー１２４、ベーシックブルー１４１、ナイルブルーＡ及びキサンテン染料ベーシックバイオレット１０、アルコキシル化トリフェニルメタンポリマー着色剤、アルコキシル化チオペンタポリマー着色剤、チアゾリウム染料、雲母、二酸化チタンコーティング雲母、オキシ塩化ビスマス、及び他の活性物質、が挙げられる。
【０１３１】
抗酸化剤：組成物は、任意に、組成物中に約０．００１〜約２重量％存在する抗酸化剤を含有してもよい。好ましくは、抗酸化剤は、０．０１〜０．０８％の範囲の濃度で存在する。酸化防止剤の混合物を使用してもよい。
【０１３２】
本発明で使用される酸化防止剤の１つの部類は、アルキル化フェノールである。ヒンダードフェノール化合物は、この式を有する好ましいタイプのアルキル化フェノールである。このタイプの好ましいヒンダードフェノール化合物は、３，５−ジ−ｔｅｒｔ−ブチル−４−ヒドロキシトルエン（ＢＨＴ）である。
【０１３３】
更に、組成物に使用される酸化防止剤は、α−、β−、γ−、δ−トコフェロール、エトキシキン、２，２，４−トリメチル−１，２−ジヒドロキノリン、２，６−ジ−ｔｅｒｔ−ブチルヒドロキノン、ｔｅｒｔ−ブチルヒドロキシアニソール、リグノスルホン酸及び塩、並びにそれらの混合物からなる群から選択されてもよい。
【０１３４】
本明細書に記載の洗浄組成物はまた、水溶性ビタミン及びその誘導体、水溶性アミノ酸及びその塩及び／又は誘導体、水不溶性アミノ酸粘度調整剤、染料、不揮発性溶媒又は希釈剤（水溶性及び水不溶性）、真珠光沢助剤、殺シラミ剤、ｐＨ調整剤、防腐剤、皮膚活性剤、日焼け止め、ＵＶ吸収剤、ナイアシンアミド、カフェイン並びにミノキシジル、などのビタミン及びアミノ酸を含有することができる。
【０１３５】
本発明の洗浄組成物はまた、Ｃ．Ｉ．名を有するものなどの水溶性成分を含む、ニトロソ、モノアゾ、ジスアゾ、カロテノイド、トリフェニルメタン、トリアリールメタン、キサンテン、キノリン、オキサジン、アジン、アントラキノン、インジゴイド、チオンインジゴイド、キナクリドン、フタロシアニン、植物性及び天然性着色料などの、顔料材料を含有することができる。
【０１３６】
本発明の洗浄組成物はまた、抗菌剤を含有することができる。カチオン性活性成分としては、臭素、炭酸塩又はジアルキルジメチルアンモニウムカーボネートを含む他の部分などの無機又は有機の対イオンを有する、塩化ベンゼトニウム及び四級アンモニウム化合物などの四級種も含む、ジデシルジメチルアンモニウムクロリド、Ｎ，Ｎ−ジデシル−Ｎメチル−ポリ（オキシエチル）アンモニウムプロピオネート、ジオクチルジデシルアンモニウムクロリドなどの、ｎ−アルキルジメチルベンジルアンモニウムクロリド、アルキルジメチルエチルベンジルアンモニウムクロリド、ジアルキルジメチル四級アンモニウム化合物、並びにグルコン酸クロルヘキシジン、ＰＨＭＢ（ポリヘキサメチレンビグアニド）、ビグアニドの塩、置換ビグアニド誘導体、四級アンモニウム含有化合物の有機塩若しくは四級アンモニウム含有化合物の無機塩又はそれらの混合物などの抗菌アミン、も含むことができるが、これらに限定されない。
【０１３７】
一態様では、任意に表面又は布地を洗浄及び／又はすすぐステップと、表面又は布地を本明細書に開示する任意の組成物と接触させ、次いで、任意に表面又は布地を洗浄及び／又はすすぐステップとを含むこのような方法を、任意の乾燥ステップと共に開示する。
【０１３８】
このような表面又は布地の乾燥は、家庭環境又は工業環境のいずれかで採用される、一般的な手段のうちの任意の１つにより実行することができる。布地は、通常の消費者用又は業務用の使用条件で洗濯することができる任意の布地を含むことができ、本発明はセルロース基材に適しており、いくつかの態様では、ポリエステル及びナイロンなどの合成織物並びに合成及びセルロース系の布地及び／又は繊維を含む混合布地及び／又は繊維の処理にも適している。合成布地の例はポリエステル、ナイロンであり、これらはセルロース系繊維との混合物、例えばポリコットン布地で存在することができる。溶液のｐＨは、典型的には、７〜１１、より一般的には、８〜１０．５である。本組成物は、典型的には、溶液中５００ｐｐｍ〜５，０００ｐｐｍの濃度で使用される。水温は、典型的には約５℃〜約９０℃の範囲である。水の布地に対する比は、典型的には、約１：１〜約３０：１である。
【０１３９】
試験方法
本明細書の試験方法で使用される布地見本は、Ｔｅｓｔｆａｂｒｉｃｓ，Ｉｎｃ．（Ｐｅｓｔ  Ｐｉｔｔｓｔｏｎ，ＰＡ）から入手し、１００％コットン、Ｓｔｙｌｅ  ４０３（２”×２”に切断）及び／又はＳｔｙｌｅ  ４６４（４”×６”に切断）及び未白色化多繊維布地、具体的にはＳｔｙｌｅ  ４１（５ｃｍ×１０ｃｍ）である。
【０１４０】
乾燥布地見本上のＬ＊、ａ＊、ｂ＊、Ｋ／Ｓ、及び白色度指数（ＷＩ  ＣＩＥ）値を含む全ての反射率スペクトル及び色測定は、４つの分光光度計のうちの１つを用いて行われる：（１）Ｋｏｎｉｃａ−Ｍｉｎｏｌｔａ  ３６１０ｄ反射分光光度計（Ｋｏｎｉｃａ  Ｍｉｎｏｌｔａ  Ｓｅｎｓｉｎｇ  Ａｍｅｒｉｃａｓ，Ｉｎｃ．（Ｒａｍｓｅｙ，ＮＪ，ＵＳＡ）；Ｄ６５照明、１０°観察者、ＵＶ光を除く）、（２）ＬａｂＳｃａｎ  ＸＥ反射分光光度計（ＨｕｎｔｅｒＬａｂｓ（Ｒｅｓｔｏｎ，ＶＡ）；Ｄ６５照明、１０°観察者、ＵＶ光を除く）、（３）Ｃｏｌｏｒ−Ｅｙｅ（登録商標）７０００Ａ（ＧｒｅｔａｇＭａｃｂｅｔｈ（Ｎｅｗ  Ｗｉｎｄｓｏｒ，ＮＹ，ＵＳＡ）；Ｄ６５光、ＵＶ光を除く）、又は（４）Ｃｏｌｏｒ  ｉ７分光光度計（Ｘ−ｒｉｔｅ，Ｉｎｃ．（Ｇｒａｎｄ  Ｒａｐｉｄｓ，ＭＩ，ＵＳＡ）；Ｄ６５光、ＵＶを除く）。測定は、より小さな内部複製（例えば、２”×２”Ｓｔｙｌｅ  ４０３）を積み重ねること、又はより大きな布地見本の折り畳み（例えば、４”×６”ｓｔｙｌｅ  ４６４）によって得られる２層の布地を使用して行われる。
【０１４１】
布地が照射される場合、特に断らない限り、乾燥後の特定の布地は、タイプＳホウケイ酸内側（パーツ番号２０２７７３００）フィルタ及び外側（パーツ番号２０２７９６００）フィルタを備え、最大キャビネット温度３７℃、最大ブラックパネル温度５７℃（ＢＰＴブラックパネル形状）、及び３５％  ＲＨ（相対湿度）に設定された、Ａｔｌａｓ  Ｘｅｎｏｎ  Ｆａｄｅ−Ｏｍｅｔｅｒ  Ｃｉ３０００＋（Ａｔｌａｓ  Ｍａｔｅｒｉａｌ  Ｔｅｓｔｉｎｇ  Ｔｅｃｈｎｏｌｏｇｙ（Ｍｏｕｎｔ  Ｐｒｏｓｐｅｃｔ，Ｉｌｌｉｎｏｉｓ，ＵＳＡ））で、４２０ｎｍで０．７７Ｗ／ｍ２の放射照度を有する擬似太陽光にさらされる。別途記載のない限り、照射は、記載された期間にわたって連続的である。
【０１４２】
Ｉ．洗浄溶液からのロイコ着色剤効率の決定方法
コットン見本（Ｓｔｙｌｅ  ４０３）は、使用前に４９℃で２回、ヘビーデューティ洗濯洗剤無増白剤（水溶液中１．５５ｇ／Ｌ）で洗浄することによってはがされる。試験される各ロイコ着色剤の濃縮原液は、エタノール又は５０：５０のエタノール：水から選択される溶媒、好ましくはエタノール中で調製される。
【０１４３】
Ａ．変換剤なしの液体媒体
ベース洗浄液は、ＡＡＴＣＣヘビーデューティ液体洗濯洗剤無増白剤（５．２３ｇ／１．０Ｌ）を脱イオン水に溶解することによって調製される。４つのはがしたコットン見本を一緒に秤量し、２つの１０ｍｍガラス大理石と共に２５０ｍＬの三角フラスコに入れる。試験される各洗浄液について合計３つのそのようなフラスコを準備する。ベース洗浄液にロイコ着色剤原液を投与して、所望の２．０×１０−６Ｎ洗浄剤濃度のロイコ着色剤を有する洗浄溶液を得る。（例として、４９３．６５ｇ／当量の等価重量を有するロイコ着色剤の１．０ｐｐｍ洗浄液、又は７５７．９７ｇ／当量の等価重量を有するロイコ着色剤の１．５ｐｐｍ洗浄液は、２．０×１０−６Ｎロイコである洗浄溶液を提供する。）
【０１４４】
１０．０：１．０の液：布地（ｗ／ｗ）比を提供するのに十分なこの洗浄液のアリコートを、３つの２５０ｍＬ三角フラスコの各々に入れる。各フラスコに１０００ｇｐｇの原液硬度溶液を投与して、最終洗浄硬度６ｇｐｇ（３：１のＣａ：Ｍｇ）を達成する。
【０１４５】
フラスコをＭｏｄｅｌ  ７５リストアクションシェーカ（（Ｂｕｒｒｅｌｌ  Ｓｃｉｅｎｔｉｆｉｃ，Ｉｎｃ．，Ｐｉｔｔｓｂｕｒｇ，ＰＡ）に取り付けて最大設定で１２分間撹拌した後、洗浄溶液を吸引によって除去し、使用された洗浄溶液の量に相当する一定量のすすぎ水（０ｇｐｇ）を加える。各フラスコに１０００ｇｐｇの原液硬度溶液を投与して、更に４分間撹拌する前に、最終すすぎ硬度６ｇｐｇ（３：１のＣａ：Ｍｇ）を達成する。すすぎ液を吸引により除去し、布地見本を１分間回転乾燥させ（Ｍｉｎｉ  Ｃｏｕｎｔｅｒｔｏｐ  Ｓｐｉｎ  Ｄｒｙｅｒ，Ｔｈｅ  Ｌａｕｎｄｒｙ  Ａｌｔｅｒｎａｔｉｖｅ  Ｉｎｃ．，Ｎａｓｈｕａ，ＮＨ）、次いで１３５°Ｆに設定した食品脱水機に入れて暗所で２時間乾燥させる。
【０１４６】
コットン布地のＬ＊、ａ＊、ｂ＊、及び白色度指数（ＷＩ  ＣＩＥ）値は、ＬａｂＳｃａｎ  ＸＥ反射分光光度計を使用して乾燥後０、６、２４及び４８時間で乾燥見本上で測定される。各ロイコ着色剤について生成された１２個の見本（それぞれ４個の見本を有する３つのフラスコ）のＬ＊、ａ＊、及びｂ＊値を平均し、各ロイコ着色剤のロイコ着色剤効率（ＬＣＥ）を４８時間収集したデータに基づいて次式で計算する。
ＬＣＥ＝ＤＥ＊＝（（Ｌ＊ｃ−Ｌ＊ｓ）２＋（ａ＊ｃ−ａ＊ｓ）２＋（ｂ＊ｃ−ｂ＊ｓ）２）１／２
下付き文字ｃ及びｓはそれぞれ、対照、すなわちロイコ着色剤を含まない洗剤で洗浄した布地、及びサンプル、すなわちロイコ着色剤を含有する洗剤で洗浄した布地を指す。
【０１４７】
Ｂ．変換剤を有する液体媒体（補助変換剤なし）
ベース洗浄液は、都市用水が塩素で処理されている都市用水に、ヘビーデューティ液体洗濯洗剤無増白剤（５．２３ｇ／１．０Ｌ）を溶解することによって調製される。都市用水中の遊離塩素及び総塩素のレベルは、Ｃｈｅｍｏｕｒｓの塩素Ｖａｃ−ｖｉａｌｓｓ（登録商標）（ＣＨＥＭｅｔｒｉｃｓ，Ｉｎｃ．，Ｍｉｄｌａｎｄ，ＶＡ）を使用して、製造業者の指示に従って測定することができる。４つのはがしたコットン見本を一緒に秤量し、２つの１０ｍｍガラス大理石と共に２５０ｍＬの三角フラスコに入れる。試験される各洗浄液について合計３つのそのようなフラスコを準備する。ベース洗浄液にロイコ着色剤原液を投与して、所望の２．０×１０−６Ｎ洗浄剤濃度のロイコ着色剤を有する洗浄溶液を得る。
【０１４８】
１０．０：１．０の液：布地（ｗ／ｗ）比を提供するのに十分なこの洗浄液のアリコートを、３つの２５０ｍＬ三角フラスコの各々に入れる。
【０１４９】
フラスコをＭｏｄｅｌ  ７５リストアクションシェーカ（Ｂｕｒｅｌｌ  Ｓｃｉｅｎｔｉｆｉｃ，Ｉｎｃ．，Ｐｉｔｔｓｂｕｒｇ，ＰＡ）に取り付けて、最大設定で１２分間撹拌した後、洗浄溶液を吸引によって除去する。使用された洗浄溶液の量に相当する一定量の都市水を、更に４分間撹拌する前に添加する。すすぎ液を吸引により除去し、布地見本を１分間回転乾燥させ（Ｍｉｎｉ  Ｃｏｕｎｔｅｒｔｏｐ  Ｓｐｉｎ  Ｄｒｙｅｒ，Ｔｈｅ  Ｌａｕｎｄｒｙ  Ａｌｔｅｒｎａｔｉｖｅ  Ｉｎｃ．，Ｎａｓｈｕａ，ＮＨ）、次いで１３５°Ｆに設定した食品脱水機に入れて暗所で２時間乾燥させる。
【０１５０】
コットン布地のＬ＊、ａ＊、ｂ＊、及び白色度指数（ＷＩ  ＣＩＥ）値は、ＬａｂＳｃａｎ  ＸＥ反射分光光度計を使用して乾燥後０、６、２４及び４８時間で乾燥見本上で測定される。各ロイコ着色剤について生成された１２個の見本（それぞれ４個の見本を有する３つのフラスコ）のＬ＊、ａ＊、及びｂ＊値を平均し、各ロイコ着色剤のロイコ着色剤効率（ＬＣＥ）を４８時間収集したデータに基づいて次式で計算する。
ＬＣＥ＝ＤＥ＊＝（（Ｌ＊ｃ−Ｌ＊ｓ）２＋（ａ＊ｃ−ａ＊ｓ）２＋（ｂ＊ｃ−ｂ＊ｓ）２）１／２
下付き文字ｃ及びｓはそれぞれ、対照、すなわちロイコ着色剤を含まない洗剤で洗浄した布地、及びサンプル、すなわちロイコ着色剤を含有する洗剤で洗浄した布地を指す。
【０１５１】
Ｃ．変換剤プラス補助変換剤を有する液体媒体
ベース洗浄液は、都市用水が塩素で処理されている都市用水に、ヘビーデューティ液体洗濯洗剤無増白剤（５．２３ｇ／１．０Ｌ）を溶解することによって調製される。都市用水中の遊離塩素及び総塩素のレベルは、Ｃｈｅｍｏｕｒｓの塩素Ｖａｃ−ｖｉａｌｓｓ（登録商標）（ＣＨＥＭｅｔｒｉｃｓ，Ｉｎｃ．，Ｍｉｄｌａｎｄ，ＶＡ）を使用して、製造業者の指示に従って測定することができる。４つのはがしたコットン見本を一緒に秤量し、２つの１０ｍｍガラス大理石と共に２５０ｍＬの三角フラスコに入れる。試験される各洗浄液について合計３つのそのようなフラスコを準備する。
【０１５２】
ベース洗浄液にロイコ着色剤原液を投与して、所望の２．０×１０−６Ｎ洗浄剤濃度のロイコ着色剤を有する洗浄溶液を得る。その後、洗浄溶液に、洗浄溶液中に存在するロイコ化合物に対する最低２．０：１．０の当量比の変換剤を供給するのに十分な量の補助変換剤を含有する原液溶液を投与する。用いられ得る他の方法は、補助変換剤が、最低５．０：１．０の比率、１０：１．０の比率、更には２５：１の比率を供給するのに十分な量で存在することを確実にする。
【０１５３】
１０．０：１．０の液：布地（ｗ／ｗ）比を提供するのに十分なこの洗浄液のアリコートを、３つの２５０ｍＬ三角フラスコの各々に入れる。
【０１５４】
フラスコをＭｏｄｅｌ  ７５リストアクションシェーカ（Ｂｕｒｅｌｌ  Ｓｃｉｅｎｔｉｆｉｃ，Ｉｎｃ．，Ｐｉｔｔｓｂｕｒｇ，ＰＡ）に取り付けて、最大設定で１２分間撹拌した後、洗浄溶液を吸引によって除去する。使用された洗浄溶液の量に相当する一定量の都市水を、更に４分間撹拌する前に添加する。すすぎ液を吸引により除去し、布地見本を１分間回転乾燥させ（Ｍｉｎｉ  Ｃｏｕｎｔｅｒｔｏｐ  Ｓｐｉｎ  Ｄｒｙｅｒ，Ｔｈｅ  Ｌａｕｎｄｒｙ  Ａｌｔｅｒｎａｔｉｖｅ  Ｉｎｃ．，Ｎａｓｈｕａ，ＮＨ）、次いで１３５°Ｆに設定した食品脱水機に入れて暗所で２時間乾燥させる。
【０１５５】
コットン布地のＬ＊、ａ＊、ｂ＊、及び白色度指数（ＷＩ  ＣＩＥ）値は、ＬａｂＳｃａｎ  ＸＥ反射分光光度計を使用して乾燥後０、６、２４及び４８時間で乾燥見本上で測定される。各ロイコ着色剤について生成された１２個の見本（それぞれ４個の見本を有する３つのフラスコ）のＬ＊、ａ＊、及びｂ＊値を平均し、各ロイコ着色剤のロイコ着色剤効率（ＬＣＥ）を４８時間収集したデータに基づいて次式で計算する。
ＬＣＥ＝ＤＥ＊＝（（Ｌ＊ｃ−Ｌ＊ｓ）２＋（ａ＊ｃ−ａ＊ｓ）２＋（ｂ＊ｃ−ｂ＊ｓ）２）１／２
下付き文字ｃ及びｓはそれぞれ、対照、すなわちロイコ着色剤を含まない洗剤で洗浄した布地、及びサンプル、すなわちロイコ着色剤を含有する洗剤で洗浄した布地を指す。
【０１５６】
ＩＩ．相対色相角を決定するための方法（対無ロイコ着色剤）
上述の方法Ｉに従って処理されたコットン布地にロイコ着色剤によってもたらされる相対色相角は、以下のように決定される。
ａ）各溶液から４８時間後の１２個の見本のａ＊及びｂ＊値を平均し、以下の式を用いてΔａ＊及びΔｂ＊を決定する：
Δａ＊＝ａ＊ｓ−ａ＊ｃ      及び      Δｂ＊＝ｂ＊ｓ−ｂ＊ｃ
下付き文字ｃ及びｓはそれぞれ、ロイコ着色剤なしの洗剤で洗浄した布地、及びロイコ着色剤を含有する洗剤で洗浄した布地を指す。
ｂ）Δａ＊及びΔｂ＊の両方の絶対値が＜０．２５である場合、相対色相角（ＲＨＡ）は計算されない。Δａ＊又はΔｂ＊のいずれかの絶対値が≧０．２５である場合、ＲＨＡは以下の式の１つを用いて決定される：
Δｂ＊≧０に対して、ＲＨＡ＝ＡＴＡＮ２（Δａ＊、Δｂ＊）
ΔＢ＊＜０に対して、ＲＨＡ＝３６０＋ＡＴＡＮ２（Δａ＊、Δｂ＊）
【０１５７】
相対的色相角は、データが、暗い乾燥後評価又は明るい乾燥後評価のいずれかにおいて収集される各時点について計算することができる。特許請求の範囲の要件を満たすために、これらの点のいずれを使用してもよい。
【０１５８】
ＩＩＩ．ロイコ白色度改善番号（ＬＷＩＮ）を決定する方法
ロイコ白色度改善番号（ＬＷＩＮ）は、ロイコ組成物を含む洗濯ケア組成物で洗浄された織物物品とロイコ組成物を含まない洗濯ケア組成物で洗浄された織物物品との間の白色度の改善の変化を表す。液体媒体は、両方の処理に対して同じであり、補助変換剤のない液体媒体、又は補助変換剤を有する液体媒体であってもよい。
【０１５９】
上記方法Ｉに係る組成物中で洗浄されたコットン布地の白色度指数の変化は、以下の式に従って計算される：
ΔＷＩ＝ＷＩ  ＣＩＥ洗浄後−ＷＩ  ＣＩＥ洗浄前
織物物品「対照」は、ロイコ組成物のない洗濯ケア組成物中で洗浄され、織物物品「サンプル」は、ロイコ組成物を含む洗濯ケア組成物中で洗浄される。
【０１６０】
ＬＷＩＮは、以下の式に従って計算される：
ＬＷＩＮ＝［（ΔＷＩサンプル−ΔＷＩ対照）／（ΔＷＩ対照）］×１００％
明らかなように、上記方法Ｉで使用される３つの異なる液体媒体は、３つの別々のＬＷＩＮ値、１つは脱イオン水（いずれの変換剤も含まない）、１つは都市用水（いくつかの変換剤を含む）、及び１つは、都市用水プラス補助変換剤、を生じることができる。
【０１６１】
ΔＷＩ対照の値が０．０になった場合は、その試験でのその値の測定に対する標準偏差の正の値を、ΔＷＩ対照の値として供給してもよく、それによりＬＷＩＮを計算することができる（分母（ΔＷＩ対照）がゼロであることはできないか、又は値が定義されないことに注意されたい）。
【０１６２】
適用実施例１〜１０
異なる液体媒体中のロイコ化合物の青味効果
水道水は、塩素種で処理して殺菌することが多い。一般的に使用される殺菌剤としては、塩素、二酸化塩素、塩素アミン、及びこれらの組み合わせが挙げられるが、これらに限定されない。水中の塩素濃度を測定する方法は、当業者に周知である。１つの方法は、Ｈａｃｈによって商品化された塩素キット及び比色計を使用する。殺菌剤は本質的に酸化性であるため、異なる水源は、ロイコ化合物の青味付け有効性に影響を及ぼすであろう。青味付けに対する塩素種の効果は、洗剤の配合に依存する。いくつかの洗剤配合物は、水道水中の活性塩素を不活性化するように作用する「塩素捕捉剤」を含有する。抗酸化剤及び還元剤などの洗剤配合物中の他の添加剤も、塩素種に影響を及ぼし得る。
【０１６３】
表１は、異なる塩素源及び濃度を有する水中のロイコ着色剤を使用するいくつかの適用例を列挙する。全塩素濃度は、Ｈａｃｈ総塩素キット及び比色計を使用して測定した。
【０１６４】
１リットルビーカー中に、５００ｍＬの水、０．５グラムの洗剤（Ｔｉｄｅ（登録商標）Ｆｒｅｅ  ａｎｄ  Ｇｅｎｔｌｅ液体洗剤、ｐＨ約８〜９）、及び試験されるロイコ染料（ロイコ染料の装填量を下記の表１に含めた）を混合した。ロイコ染料は、１）洗剤と予備混合するか、又は２）約１ｍＬの有機溶媒に予備溶解し、次いで洗浄水に直接添加するかのいずれかによって、洗浄水に導入することができる。６枚の漂白されたコットンＴシャツ布地（Ｔｅｓｔｆａｂｒｉｃｓ，Ｉｎｃ．から購入、ｓｔｙｌｅ番号４３７Ｗ−６０、６”×６”サイズに切断）を洗浄水に加え、室温で１５分間ターゴトメーターで洗浄した。布地／水の比は、約４０グラム／リットルであった。洗浄後、布地サンプルを５００ｍＬの試験水で２回手ですすいだ後、乾燥機内で１時間乾燥させた。ＣＩＥ  Ｌ＊、ａ＊、及びｂ＊値を、カラーアイ分光光度計で読み取った。
【０１６５】
異なるロイコ着色剤で洗浄したコットンのデルタｂ＊値を以下の表１に報告する。デルタｂ＊値は、上記と同じ手順に従ってロイコ着色剤なしで洗浄した同じ種類の布地のｂ＊値を差し引くことによって得られた。
【０１６６】
試験したロイコ染料を以下に示す。
【０１６７】
【化４】
2019534392.tif 000005
【０１６８】
【表１】
2019534392.tif 000006
【０１６９】
ロイコ着色剤Ａ及びＣは両方とも、変換剤を含まない液体媒体中で達成される青味付けに対して、変換剤を含む液体媒体中で使用されたときに青味付けの向上を示す。
【０１７０】
配合実施例
以下は、本発明に係る洗浄組成物の例示的な実施例であり、限定することを意図したものではない。
【実施例】
【０１７１】
実施例１〜７：ヘビーデューティ液体洗濯洗剤組成物。
【０１７２】
【表２】
2019534392.tif 000007
洗浄及び／又は処理組成物の総重量に基づく。酵素レベルは、原材料として報告する。
【０１７３】
実施例８〜１８：単位用量組成物。
【０１７４】
これら実施例は、単位用量洗濯洗剤用の様々な配合を提供する。組成物８〜１２は、１つの単位用量区画を含む。組成物を封入するのに使用されるフィルムはポリビニルアルコール系フィルムである。
【０１７５】
【表３】
2019534392.tif 000008
洗浄及び／又は処理組成物の総重量に基づく。酵素レベルは、原材料として報告する。
【０１７６】
以下の実施例では、単位用量は３つの区画を有するが、同様の組成物を２つ、４つ、又は５つの区画で作製することができる。区画を封入するのに使用されるフィルムはポリビニルアルコールである。
【０１７７】
【表４】
2019534392.tif 000009
【０１７８】
【表５】
2019534392.tif 000010
洗浄及び／又は処理組成物の総重量に基づいて、酵素レベルは原材料として報告する。
【０１７９】
【表６】
2019534392.tif 000011
【０１８０】
本明細書で開示する寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することが意図される。
【０１８１】
相互参照されるか又は関連する全ての特許又は特許出願、及び本願が優先権又はその利益を主張する任意の特許出願又は特許を含む、本明細書に引用される全ての文書は、明示的に除外されるか、又は別途制限されない限り、参照によりその全体が本明細書に組み込まれる。いかなる文献の引用も、本明細書中で開示又は特許請求される任意の発明に対する先行技術であるとはみなされず、あるいはそれを単独で又は他の任意の参考文献と組み合わせたときに、そのような任意の発明を教示、示唆、又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１８２】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【国際調査報告】
2019534392.tif 000013
2019534392.tif 000014